(57)【要約】  無線ネットワーク側で無線端末（ＵＥ）が検出した無線カバレッジの不具合の原因の判別可能とし、該判別結果に応じた対処の決定、実行を可能とするシステム、方法を提供する。無線局からの測定指示情報を取得した無線端末（ＵＥ）は、前記測定指示情報に従って測定と記録を行い、前記無線局に報告する。この無線端末が、予め定められたサービスに関して帰属を許可されている第１のセル（ａｌｌｏｗｅｄ  ｃｅｌｌ）の選択又は検出に関する第１の条件を満たし、且つ、測定又は記録に関する第２の条件を満たす場合に、前記予め定められたサービスに関して帰属を許可されていない第２のセル（ｎｏｔ  ａｌｌｏｗｅｄ  ｃｅｌｌ）に関連する情報を記録する。
2012043796.tif 000002
【特許請求の範囲】
【請求項１】
無線局からの測定指示情報を取得した無線端末は、前記測定指示情報に従って測定と記録を行い、前記無線局に報告する無線通信システムであって、
前記無線端末が、予め定められたサービスに関して帰属を許可されている第１のセルの選択又は検出に関する第１の条件を満たし、且つ、測定又は記録に関する第２の条件を満たす場合に、前記予め定められたサービスに関して帰属を許可されていない第２のセルに関連する情報を記録する測定実施部を備える、無線通信システム。
【請求項２】
前記第１の条件は、
前記無線端末が前記第１のセルの選択が不可能な状況を検出した事、
前記無線端末が帰属中のサービングセルの受信品質がセル選択基準を満たさなくなった事、
前記無線端末が帰属中のサービングセルの受信品質がセル選択基準を満たさなくなってから所定期間経過した事、
前記無線端末が前記第２のセルの検出を行う状態に遷移した事、
の少なくともいずれか１つを含む、請求項１の無線通信システム。
【請求項３】
前記第２のセルは、予め定められた限られたサービスを受けるためにのみ帰属することを許可されているセル、及び／又は、帰属を禁止されているセルである、請求項１又は２に記載の無線通信システム。
【請求項４】
前記無線端末は、前記第１のセルの検出が不可能な状況を検出した後、再び、前記第１のセルを検出した場合、自発的に又は前記無線局からの指示に応じて、前記第２のセルに関連する情報を含む測定結果を、前記無線局に通知する測定結果報告部を備えた請求項１乃至３いずれか１項の無線通信システム。
【請求項５】
前記無線端末は、前記第１の条件を満たした場合、周辺に、前記第２のセルが存在するか否かを判定し、前記第２のセルに関連する情報を記録する、請求項１乃至４のいずれか１項の無線通信システム。
【請求項６】
前記無線端末は、前記第２のセルの存在の判定を、前記第２のセルの下り既知信号の受信品質が所定値以上か否か、又は、システム情報が正しく取得できるか否か、のいずれかに基づいて行う請求項５の無線通信システム。
【請求項７】
前記無線端末は、前記第２のセルが周辺に存在する場合、前記第２のセルに対して測定を実行し、前記第２のセルに関連する情報として測定結果を記録する請求項５又は６記載の無線通信システム。
【請求項８】
前記無線端末は、前記第２のセルに関連する情報に、前記第２のセルの有無、及び／又は、前記第２のセルの識別子を含める請求項１乃至７のいずれか１項の無線通信システム。
【請求項９】
前記無線局又は前記運用管理サーバが、前記無線端末から報告される前記第２のセルの有無に応じて、前記第１のセルの検出が不可能な状況を解決する対策を決定して実行する請求項１乃至８のいずれか１項の無線通信システム。
【請求項１０】
前記無線局及び／又は前記運用管理サーバは、前記無線端末からの報告が前記第２のセルが周辺に存在することを示す場合には、干渉回避対策を実行し、
前記無線端末からの報告が前記第２のセルが周辺に存在しないことを示す場合には、カバレッジ最適化を実行する請求項１乃至９のいずれか１項の無線通信システム。
【請求項１１】
前記第２の条件が、
前記無線端末が前記第１の条件を満たす以前に、前記測定指示情報が有効であったという条件、
前記無線端末が前記第１の条件を満たす以前で、最後に帰属していたエリアが予め定められた所定のエリアに属するという条件、
前記第１の条件を満たした時点で有効な位置情報を保有しているという条件、
前記第１の条件を満たした時点で下り既知信号の受信品質が最大であるエリアが所定のエリアに属するという条件、
の少なくともいずれか一つを含む請求項１乃至１０のいずれか１項の無線通信システム。
【請求項１２】
前記無線端末は、前記無線端末が前記第１のセルの検出が不可能な状況を検出する以前で、最後に帰属していたエリアが予め定められた所定のエリアに属するという条件に基づく場合、前記無線端末が帰属するエリアの更新がない間、及び／又は、前記第１のセルの検出が不可能な状況を検出した後から所定期間経過するまで、前記所定タイミングで記録を継続する請求項１１記載の無線通信システム。
【請求項１３】
前記無線端末は、前記第１のセルの検出が不可能な状況を検出した場合、下りリンクの既知信号の受信品質が最大であるエリアの識別子を記録する請求項１１記載の無線通信システム。
【請求項１４】
無線局から送信された測定指示情報を受け、前記測定指示情報に従って測定と記録を行い、
予め定められたサービスに関して帰属を許可されている第１のセルの選択又は検出に関する第１の条件を満たし、且つ、測定又は記録に関する第２の条件を満たす場合に、前記予め定められたサービスに関して帰属を許可されていない第２のセルに関連する情報を記録する測定実施部を備える無線端末。
【請求項１５】
前記第１の条件が、
前記無線端末が前記第１のセルの選択が不可能な状況を検出した事、
前記無線端末が帰属中のサービングセルの受信品質がセル選択基準を満たさなくなった事、
前記無線端末が帰属中のサービングセルの受信品質がセル選択基準を満たさなくなってから所定期間経過した事、
前記無線端末が前記第２のセルの検出を行う状態に遷移した事、
の少なくともいずれか１つを含み、
前記第２の条件が、
前記無線端末が前記第１の条件を満たす以前に、前記測定指示情報が有効であったという条件、
前記無線端末が前記第１の条件を満たす以前で、最後に帰属していたエリアが予め定められた所定のエリアに属するという条件、
前記第１の条件を満たした時点で有効な位置情報を保有しているという条件、
前記第１の条件を満たした時点で下り既知信号の受信品質が最大であるエリアが所定のエリアに属するという条件、
の少なくともいずれか一つを含む、請求項１４記載の無線端末。
【請求項１６】
無線局からの測定指示情報を受け取った無線端末が、前記測定指示情報に従って、測定と記録を行い、予め定められたサービスに関して帰属を許可されている第１のセルの選択又は検出に関する第１の条件を満たし、且つ、測定又は記録に関する第２の条件を満たす場合に、前記予め定められたサービスに関して帰属を許可されていない第２のセルに関連する情報を記録し前記無線局側に報告する無線通信システムの無線局であって、
帰属を許可された前記第１のセルの検出が不可能な状況を検出した前記無線端末からの報告が、帰属を許可されていない前記第２のセルが周辺に存在することを示す場合には、前記第１のセルと前記第２のセルとの干渉を低減させる対策として、前記第１のセルと前記第２のセルの少なくとも一方のネットワーク設定の変更を実行し、
前記無線端末からの報告が前記第２のセルが周辺に存在しないことを示す場合には、前記第１のセルのカバレッジに関するネットワーク設定の変更を実行する、無線局。
【請求項１７】
前記第１の条件が、
前記無線端末が前記第１のセルの選択が不可能な状況を検出した事、
前記無線端末が帰属中のサービングセルの受信品質がセル選択基準を満たさなくなった事、
前記無線端末が帰属中のサービングセルの受信品質がセル選択基準を満たさなくなってから所定期間経過した事、
前記無線端末が前記第２のセルの検出を行う状態に遷移した事、
の少なくともいずれか１つを含み、
前記第２の条件が、
前記無線端末が前記第１の条件を満たす以前に、前記測定指示情報が有効であったという条件、
前記無線端末が前記第１の条件を満たす以前で、最後に帰属していたエリアが予め定められた所定のエリアに属するという条件、
前記第１の条件を満たした時点で有効な位置情報を保有しているという条件、
前記第１の条件を満たした時点で下り既知信号の受信品質が最大であるエリアが所定のエリアに属するという条件、
の少なくともいずれか一つを含む、請求項１６記載の無線局。
【請求項１８】
無線局からの測定指示情報を受け取った無線端末が、前記測定指示情報に従って、測定と記録を行い、予め定められたサービスに関して帰属を許可されている第１のセルの選択又は検出に関する第１の条件を満たし、且つ、測定又は記録に関する第２の条件を満たす場合に、前記予め定められたサービスに関して帰属を許可されていない第２のセルに関連する情報を記録し前記無線局側に報告する無線通信システムの運用管理を行うサーバ装置であって、
帰属を許可された第１のセルの検出が不可能な状況を検出した前記無線端末からの報告が、帰属を許可されていない第２のセルが周辺に存在することを示す場合には、前記第１のセルと前記第２のセルとの干渉を低減させる対策として、前記第１のセルと前記第２のセルの少なくとも一方のネットワーク設定を変更し、
前記無線端末からの報告が前記第２のセルが周辺に存在しないことを示す場合には、前記第１のセルのカバレッジに関するネットワーク設定を変更するように制御する運用管理サーバ装置。
【請求項１９】
前記第１の条件が、
前記無線端末が前記第１のセルの選択が不可能な状況を検出した事、
前記無線端末が帰属中のサービングセルの受信品質がセル選択基準を満たさなくなった事、
前記無線端末が帰属中のサービングセルの受信品質がセル選択基準を満たさなくなってから所定期間経過した事、
前記無線端末が前記第２のセルの検出を行う状態に遷移した事、
の少なくともいずれか１つを含み、
前記第２の条件が、
前記無線端末が前記第１の条件を満たす以前に、前記測定指示情報が有効であったという条件、
前記無線端末が前記第１の条件を満たす以前で、最後に帰属していたエリアが予め定められた所定のエリアに属するという条件、
前記第１の条件を満たした時点で有効な位置情報を保有しているという条件、
前記第１の条件を満たした時点で下り既知信号の受信品質が最大であるエリアが所定のエリアに属するという条件、
の少なくともいずれか一つを含む、請求項１８記載の運用管理サーバ装置。
【請求項２０】
無線局からの測定指示情報を無線端末が取得し、前記測定指示情報に従って測定と記録を行い前記無線局に報告する無線通信方法であって、
前記無線端末が、予め定められたサービスに関して帰属を許可されている第１のセルの選択又は検出に関する第１の条件を満たし、且つ、測定又は記録に関する第２の条件を満たす場合に、前記予め定められたサービスに関して帰属を許可されていない第２のセルに関連する情報を記録する、無線通信方法。
【請求項２１】
前記第１の条件が、
前記無線端末が前記第１のセルの選択が不可能な状況を検出した事、
前記無線端末が帰属中のサービングセルの受信品質がセル選択基準を満たさなくなった事、
前記無線端末が帰属中のサービングセルの受信品質がセル選択基準を満たさなくなってから所定期間経過した事、
前記無線端末が前記第２のセルの検出を行う状態に遷移した事、
の少なくともいずれか１つを含み、
前記第２の条件が、
前記無線端末が前記第１の条件を満たす以前に、前記測定指示情報が有効であったという条件、
前記無線端末が前記第１の条件を満たす以前で、最後に帰属していたエリアが予め定められた所定のエリアに属するという条件、
前記第１の条件を満たした時点で有効な位置情報を保有しているという条件、
前記第１の条件を満たした時点で下り既知信号の受信品質が最大であるエリアが所定のエリアに属するという条件、
の少なくともいずれか一つを含む、請求項２０記載の無線通信方法。
【請求項２２】
前記第２のセルは、予め定められた限られたサービスを受けるためにのみ帰属することを許可されているセル、及び／又は、帰属を禁止されているセルである、請求項２０又は２１に記載の無線通信方法。
【請求項２３】
前記無線端末は、前記第１のセルの検出が不可能な状況を検出した後、再び、前記第１のセルを検出した場合、自発的に又は前記無線局からの指示に応じて、前記第２のセルに関連する情報を含む測定結果を、前記無線局に通知する、請求項２０乃至２２のいずれか１項の無線通信方法。
【請求項２４】
無線端末と、
配下の前記無線端末と無線で通信接続する無線局と、
前記無線局を含む無線ネットワークの運用管理を行う運用管理サーバ装置と、
を備え、
前記無線端末は、
前記無線局側から、アイドル状態の前記無線端末による測定と記録を指示するコンフィギュレーション・メッセージを受信する測定指示取得部と、
前記コンフィギュレーション・メッセージの前記指示の内容にしたがい、アイドル状態で帰属セル及び周辺のセルの受信品質の測定及び測定結果の記録を行う測定実施部を備え、
前記測定実施部は、
予め定められたサービスに関して帰属を許可されている第１のセルの選択又は検出に関する第１の条件を満たし、且つ、測定又は記録に関する第２の条件を満たす場合に、
無線カバレッジの不具合が発生したことを示す情報、
前記無線カバレッジの不具合が発生したエリアの周辺に、予め定められたサービスに関して帰属を許可されていない第２のセルが存在するか否か、
前記無線端末が取得した、前記帰属を許可されていない第２のセルの識別情報、
前記無線端末で測定した、前記帰属を許可されていない第２のセルの下り既知信号の受信品質の測定結果、
の少なくともいずれか１つを記録し、
前記無線端末は、前記無線局との間で無線リンクが確立しアクティブ状態となると、前記記録した内容を前記無線局に報告する測定報告部を備え、
前記無線端末から記録内容の報告を受けた前記無線局は、前記報告を前記運用管理サーバ装置に送信し、
前記運用管理サーバ装置は、前記無線端末からの前記報告を分析し、前記無線カバレッジの前記不具合が検出されたエリア周辺に、前記帰属を許可されていないセルが存在するか否かに応じて、前記無線カバレッジの前記不具合を解消するための対策を決定する、無線通信システム。
【請求項２５】
前記第１の条件が、
前記無線端末が前記第１のセルの選択が不可能な状況を検出した事、
前記無線端末が帰属中のサービングセルの受信品質がセル選択基準を満たさなくなった事、
前記無線端末が帰属中のサービングセルの受信品質がセル選択基準を満たさなくなってから所定期間経過した事、
前記無線端末が前記第２のセルの検出を行う状態に遷移した事、
の少なくともいずれか１つを含み、
前記第２の条件が、
前記無線端末が前記第１の条件を満たす以前に、前記測定指示情報が有効であったという条件、
前記無線端末が前記第１の条件を満たす以前で、最後に帰属していたエリアが予め定められた所定のエリアに属するという条件、
前記第１の条件を満たした時点で有効な位置情報を保有しているという条件、
前記第１の条件を満たした時点で下り既知信号の受信品質が最大であるエリアが所定のエリアに属するという条件、
の少なくともいずれか一つを含む、請求項２４記載の無線通信システム。
【請求項２６】
前記無線カバレッジの不具合がカバレッジホールであり、
前記無線局側からの前記測定指示の内容に従い、
（Ａ）前記無線端末がカバレッジホールを検出すると、前記カバレッジホールの存在を記録し、さらに、予め定められたサービスに関して前記帰属を許可されていない第２のセルが周辺に存在するか否かを判定し、存在する場合、前記周辺の第２のセルに関連する情報を記録、
（Ｂ）帰属セルの受信品質が劣化すると、周辺に、前記第２のセルとして、予め定められたサービスに関して予め定められた特定の無線端末のみが帰属を許可されたセルが存在するか否かを判定し、
カバレッジホールを検出した場合、前記特定の無線端末のみが帰属を許可されたセルの受信品質を測定し、前記カバレッジホールと、前記特定の無線端末のみが帰属を許可された第２のセルの測定結果を記録する、
（Ｃ）帰属セルの受信品質の劣化を検出してからカバレッジホールを検出するまでの間に、帰属セルや隣接セルの測定及び記録を行い、周辺に前記第２のセルとして、予め定められた特定の無線端末のみが帰属を許可されたセルが検出された場合、前記特定の無線端末のみが帰属を許可されたセルの測定及び測定結果の記録を行い、
前記カバレッジホール検出後、再び、帰属を許可された適切な第１のセルが検出されるまで測定と記録を中断する、
（Ｄ）帰属セルの受信品質が劣化すると、周辺に、隣接セル測定をさせないように予め指定された特定のセルのリストに属するセルが存在するか否かを判定し、
カバレッジホールを検出した場合、前記リストに属するセルの受信品質の測定を行い、前記カバレッジホールと、前記リストに属するセルの測定結果を記録する、
（Ｅ）帰属セルの受信品質が劣化すると、周辺に、前記第２のセルとして、予め定められた特定の無線端末のみが帰属を許可されたセルが存在するか否かを判定し、前記カバレッジホールを検出した場合、前記カバレッジホールと、前記特定の無線端末のみが帰属を許可されたセルの存在の有無を含む情報を記録する、
（Ｆ）帰属セルの受信品質の劣化を検出してからカバレッジホールを検出するまでの間に、帰属セルや隣接セルの測定及び記録を行い、前記第２のセルの情報として、周辺の予め定められた特定の無線端末のみが帰属を許可されたセルに関連する情報の記録を行い、前記カバレッジホール検出後、再び、帰属を許可された適切な第１のセルが検出されるまで測定と記録を中断する、
（Ｇ）帰属セルの受信品質が劣化すると、周辺に、隣接セル測定をさせないように予め指定された特性のセルのリストに属するセルが存在するか否かを判定し、前記カバレッジホールを検出した場合、前記カバレッジホールと、前記リストに属するセルの有無を含む情報を記録する、
（Ｈ）前記カバレッジホールを検出した場合、前記カバレッジホールと、前記第２のセルの情報として、前記特定の無線端末のみが帰属を許可されたセルの存在の有無を含む情報を記録する、
（Ｉ）前記カバレッジホールを検出した場合、前記不具合を検出する直前まで前記無線端末が滞在していたエリアが測定対象エリアであり、前記無線端末の滞在するエリアの更新がない場合、前記カバレッジホール、又は、前記カバレッジホールと周辺の帰属を許可されていないセルの測定結果を記録する、
（Ｊ）前記カバレッジホールを検出した場合、有効な位置情報がある場合、前記カバレッジホールを記録する、
（Ｋ）前記カバレッジホールを検出した場合、受信品質が最高のセルが、測定対象エリアに属する場合、前記カバレッジホール、又は前記カバレッジホールと周辺の帰属を許可されていないセルの測定結果を記録する、
の（Ａ）乃至（Ｋ）のうちの少なくともいずれか一つを実行する請求項２４又は２５記載の無線通信システム。
【請求項２７】
前記運用管理サーバは、前記無線端末からの報告が、予め定められたサービスに関して帰属を許可されていない第２のセルが周辺に存在することを示す場合には、前記無線局、又は、前記帰属を許可されていない第２のセルに対して干渉回避対策を実行するように設定し、
前記無線端末からの報告が、予め定められたサービスに関して帰属を許可されていない第２のセルが周辺に存在しないことを示す場合には、前記無線局による無線カバレッジの最適化を実行する、請求項２４乃至２６のいずれか１項の無線通信システム。
【発明の詳細な説明】
【技術分野】
【０００１】
［関連出願についての記載］
本発明は、日本国特許出願：特願２０１０−２２４３８８号（２０１０年１０月０１日出願）の優先権主張に基づくものであり、同出願の全記載内容は引用をもって本書に組み込み記載されているものとする。
本発明は、通信システムに関し、特に、無線端末側で行われる測定に基づき、無線パラメータ等の調整を行うシステムに適用して好適なシステムと方法ならびに装置に関する。
【背景技術】
【０００２】
無線カバレッジ情報は、ネットワークのプラニング、ネットワーク最適化、無線資源管理（Ｒａｄｉｏ  Ｒｅｓｏｕｒｃｅ  Ｍａｎａｇｅｍｅｎｔ：ＲＲＭ）パラメータの最適化等に重要であり（非特許文献１）、ネットワーク内でのカバレッジホール（Ｃｏｖｅｒａｇｅ  ｈｏｌｅ）、パイロットポルーション（Ｐｉｌｏｔ  ｐｏｌｌｕｔｉｏｎ）等のカバレッジ問題を検出するために、オペレータによる走行試験（Ｄｒｉｖｅ−ｔｅｓｔ）が行われる。３ＧＰＰ（３ｒｄ  Ｇｅｎｅｒａｔｉｏｎ  Ｐａｒｔｎｅｒｓｈｉｐ  Ｐｒｏｊｅｃｔ）では、オペレータによる走行試験（Ｄｒｉｖｅ−ｔｅｓｔ）にかかるオペレーション・コスト（ｏｐｅｒａｔｉｏｎ  ｅｘｐｅｎｄｉｔｕｒｅ：ＯＰＥＸ）を削減するため、走行試験で収集していた情報、又はそれに類似した情報を、無線端末（ＵＥ）（Ｕｓｅｒ  Ｅｑｕｉｐｍｅｎｔ：「ユーザ装置」ともいう）に測定させ報告させることが検討されている（非特許文献１）。【０００３】
＜ＭＤＴ＞
上記検討の最終目的は、走行試験の実行を最小化すること（Ｍｉｎｉｍｉｚａｔｉｏｎ  ｏｆ  Ｄｒｉｖｅ−Ｔｅｓｔｓ：「ＭＤＴ」と略記される）である。このＭＤＴの検討においては、
・どのように無線端末に測定させるか、
・無線端末による測定の結果又は過去の測定結果のログをどのように報告させるか、
が議論されている。
ここで、「測定」は、通信路品質の測定のみならず、無線カバレッジ問題等、ある特定の状況を「検出」する動作も含む。【０００４】
無線端末（ＵＥ）が報告を行う無線ネットワークには、（Ｅ−）ＵＴＲＡＮの基地局（（ｅ）Ｎｏｄｅ  Ｂ）やＵＴＲＡＮの基地局制御局（Ｒａｄｉｏ  Ｎｅｔｗｏｒｋ  Ｃｏｎｔｒｏｌｌｅｒ：ＲＮＣ）などが含まれる。Ｅ−ＵＴＲＡＮの基地局ｅＮＢは、ＵＴＲＡＮにおいて無線インタフェースを終端する基地局ＮｏｄｅＢと無線資源を管理するＲＮＣの機能の一部を含む。Ｅ−ＵＴＲＡＮのｅＮｏｄｅＢ又はＵＴＲＡＮのＮｏｄｅＢとＲＮＣを本明細書では「ｅＮＢ／ＲＮＣ」と表記する。
（Ｅ−）ＵＴＲＡＮ：（Ｅｖｏｌｖｅｄ−）ＵＭＴＳ（Ｕｎｉｖｅｒｓａｌ  Ｍｏｂｉｌｅ  Ｔｅｌｅｃｏｍｍｕｎｉｃａｔｉｏｎｓ  ｓｙｓｔｅｍ  ）  Ｔｅｒｒｅｓｔｒｉａｌ  Ｒａｄｉｏ  Ａｃｃｅｓｓ  Ｎｅｔｗｏｒｋ）
ｅＮｏｄｅ  Ｂ：ｅｖｏｌｖｅｄ  Ｎｏｄｅ  Ｂ（ｅＮＢ）【０００５】
＜Ｌｏｇｇｅｄ  ＭＤＴ＞
現在（本願出願時）、非特許文献２の仕様に規定された測定形態の１つに、無線端末（ＵＥ）がアイドル状態（ＩＤＬＥ  ｍｏｄｅ）の間に測定させ、アクティブ（Ａｃｔｉｖｅ）状態の間に、無線ネットワークに測定結果を報告させる方式（Ｌｏｇｇｅｄ  ＭＤＴ）がある。以下では、本発明の理解の前提として、非特許文献２等の仕様に基づき、Ｌｏｇｇｅｄ  ＭＤＴの概略を説明する。【０００６】
アイドル状態（ＩＤＬＥ  ｍｏｄｅ）は、無線端末（ＵＥ）が、待受状態等、電源オン状態であるが、ＲＲＣ（Ｒａｄｉｏ  Ｒｅｓｏｕｒｃｅ  Ｃｏｎｔｒｏｌ：無線資源制御）接続を確立していない状態をいう（非特許文献８）。ＬＴＥ（Ｌｏｎｇ  Ｔｅｒｍ  Ｅｖｏｌｕｔｉｏｎ）におけるＲＲＣ＿ＩＤＬＥ（Ｒａｄｉｏ  Ｒｅｓｏｕｒｃｅ  Ｃｏｎｔｒｏｌ  ＩＤＬＥ：無線資源制御アイドル）と、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）におけるアイドル（ＵＴＲＡＮ  ＩＤＬＥ）を指示する。無線端末（ＵＥ）がアイドル状態のときは、どのセルに在圏しているかは管理されず、ＬＴＥではどのトラッキングエリア（Ｔｒａｃｋｉｎｇ  Ａｒｅａ：ＴＡ）に滞在するかが管理され（ＴＡは、ＭＭＥ（Ｍｏｂｉｌｉｔｙ  Ｍａｎａｇｅｍｅｎｔ  Ｅｎｔｉｔｙ）等により管理される）、ＵＭＴＳではどのロケーションエリア（Ｌｏｃａｔｉｏｎ  Ａｒｅａ：ＬＡ）又はルーティングエリア（Ｒｏｕｔｉｎｇ  Ａｒｅａ：ＲＡ）に滞在するかが管理される（ＬＡやＲＡは、ＭＳＣ（Ｍｏｂｉｌｅ  Ｓｗｉｔｃｈｉｎｇ  Ｃｅｎｔｅｒ）／ＶＬＲ（Ｖｉｓｉｔｏｒ  Ｌｏｃａｔｉｏｎ  Ｒｅｇｉｓｔｅｒ）により管理される）。なお、３ｇｐｐでは、ＵＭＴＳにおけるＣＥＬＬ＿ＰＣＨ、ＵＲＡ＿ＰＣＨの状態においてもＬｏｇｇｅｄ  ＭＤＴの対象と考えられている。以下では、Ｌｏｇｇｅｄ  ＭＤＴに関する説明はアイドル状態に注目して行うが、ＣＥＬＬ＿ＰＣＨ、ＵＲＡ＿ＰＣＨについても基本的事項は同様である。【０００７】
（Ｅ−）ＵＴＲＡＮの無線基地局／基地局制御局（ｅＮＢ／ＲＮＣ）は、アクティブ状態の無線端末（ＵＥ）に対して、アイドル状態で測定、及び測定結果の記録（ロギング）を実行するように指示する。すなわち、（Ｅ−）ＵＴＲＡＮの無線基地局／基地局制御局（ｅＮＢ／ＲＮＣ）は、アイドル状態（Ｉｄｌｅ  ｍｏｄｅ）で行われるＬｏｇｇｅｄ  ＭＤＴの設定パラメータをアイドルＭＤＴコンフィギュレーション（Ｉｄｌｅ  ＭＤＴ  Ｃｏｎｆｉｇｕｒａｔｉｏｎ）メッセージにて無線端末（ＵＥ）に送信する（非特許文献２）。（これは、ＵＭＴＳ／ＬＴＥに対する総称であり、ＬＴＥに注目した場合、「ＩｄｌｅＬｏｇｇｉｎｇＣｏｎｆｉｇｕｒａｔｉｏｎメッセージ」とも呼ぶ。）【０００８】
無線端末（ＵＥ）は、アクティブ状態からアイドル状態に遷移した後、 (Ｅ−)ＵＴＲＡＮからの指示にしたがって、アイドル状態での測定、及びロギングを実行する。ここで、測定の対象となるセルは、通常のアイドル状態のＵＥと基本的に同じである。すなわち、Ｌｏｇｇｅｄ  ＭＤＴでの測定は、無線端末（ＵＥ）のアイドルモード測定の原理に従う（非特許文献４、５）。【０００９】
基本的に、測定対象は、
・隣接セルリスト（Ｎｅｉｇｈｂｏｕｒ  ｃｅｌｌ  ｌｉｓｔ）に含まれるセルと、
・ＵＥが検出した隣接セルリスト以外のセル（ｄｅｔｅｃｔｅｄ  ｃｅｌｌ）
である。【００１０】
測定対象外は、
・ブラックリスト（Ｂｌａｃｋ  ｌｉｓｔ）のセル、
・ＣＳＧ（Ｃｌｏｓｅｄ  Ｓｕｂｓｃｒｉｂｅｒ  Ｇｒｏｕｐ）のセルとオープンセル（Ｏｐｅｎ  ｃｅｌｌ）を、物理セル特定情報（ＰＣＩ／ＰＳＣ）で識別するための「ＰＣＩ／ＰＳＣ  ｓｐｌｉｔ」適用時のＣＳＧセル（ＣＳＧセルに帰属する機能／権限の無い、非ＣＳＧメンバーの無線端末（ＵＥ）に適用）。
なお、ブラックリストは、無線端末に特定の隣接セルのメジャメント（品質測定）をさせないようにするリストである。
ＣＳＧセルは、例えばフェムト基地局（Ｆｅｍｔｏ  （ｅ）ＮＢ、又はＨｏｍｅ  （ｅ）ＮＢ）の所有者や家族等、特定グループの無線端末（ＵＥ）に接続を制限するものである。
従って、オープンセルはオペレータの全てのＵＥがセルを使用でき、ＣＳＧは特定の無線端末（ＵＥ）のみが使用でき、ハイブリッドセルはオープンとＣＳＧを混在させたものである。【００１１】
＜カバレッジホール＞
無線端末（ＵＥ）がカバレッジホールに滞在した場合には、帰属セル（ｓｅｒｖｉｎｇ  ｃｅｌｌ）や隣接セル（ｎｅｉｇｈｂｏｕｒ  ｃｅｌｌ）の測定結果をロギングする代わりに、“Ｏｕｔ  Ｏｆ  Ｓｅｒｖｉｃｅ”（ＯＯＳ）（圏外）とロギングする事が検討されている（非特許文献３）。【００１２】
一方、カバレッジホールに滞在した場合、特定の期間（例えば、端末が“ｃａｍｐｅｄ  ｎｏｒｍａｌｌｙ”  ｓｔａｔｅでいる間）のみＭＤＴ  ｍｅａｓｕｒｅｍｅｎｔ、Ｌｏｇｇｉｎｇを継続し、特定の期間が経過後（例えば、端末が“ａｎｙ  ｃｅｌｌ  ｓｅｌｅｃｔｉｏｎ”又は“ｃａｍｐｅｄ  ｏｎ  ａｎｙ  ｃｅｌｌ”ｓｔａｔｅでいる間）も依然としてカバレッジホールに滞在する場合には、ＭＤＴ  ｍｅａｓｕｒｅｍｅｎｔ、Ｌｏｇｇｉｎｇを中断することも検討されている（非特許文献２）。なお、再び“ｃａｍｐｅｄ  ｎｏｒｍａｌｌｙ”ｓｔａｔｅに戻り、その時点でＩｄｌｅ  ＭＤＴ  Ｃｏｎｆｉｇｕｒａｔｉｏｎが有効な場合には、ＭＤＴ  ｍｅａｓｕｒｅｍｅｎｔ、Ｌｏｇｇｉｎｇを再開する。【００１３】
ここで、カバレッジホールとは、帰属セル（ｓｅｒｖｉｎｇ  ｃｅｌｌ）や予め定められたサービスを行う為の帰属（接続、無線リンクの確立とも呼ぶ）が許可されている隣接セル（ｎｅｉｇｈｂｏｕｒ  ｃｅｌｌ）のＳＮＲ（Ｓｉｇｎａｌ  ｔｏ  Ｎｏｉｓｅ  Ｒａｔｉｏ：信号対雑音比）又はＳＩＮＲ（Ｓｉｇｎａｌ  ｔｏ  Ｉｎｔｅｒｆｅｒｅｎｃｅ  ａｎｄ  Ｎｏｉｓｅ  Ｒａｔｉｏ：信号対干渉雑音比）が、基本サービス（ＳＲＢ（Ｓｉｇｎａｌｉｎｇ  Ｒａｄｉｏ  Ｂｅａｒｅｒ：シグナリング無線ベアラ）の確立、及びＤＬ  ｃｏｍｍｏｎ  ｃｈａｎｎｅｌｓ（下り共通チャネル）で送られる情報の取得）を維持するために必要な所定値を下回っているエリアをいう。ここで、ＳＲＢは、制御メッセージであるＲＲＣ（無線資源制御）メッセージを運ぶためのベアラである。【００１４】
なお、無線端末（ＵＥ）がいつの時点でカバレッジホールと判定するかについては、例えば、
・“ｃａｍｐｅｄ  ｎｏｒｍａｌｌｙ”  ｓｔａｔｅの間に予め定められたサービスを行う為の帰属を許可されたセルを選択できなかった（報知情報を取得できなかった）場合、
・“ａｎｙ  ｃｅｌｌ  ｓｅｌｅｃｔｉｏｎ”  ｓｔａｔｅの間に帰属を許可されたセルを選択できなかった場合、
・“ｃａｍｐｅｄ  ｏｎ  ａｎｙ  ｃｅｌｌ”  ｓｔａｔｅの間に予め定められたサービスを行う為の帰属を許可されたセルを選択できなかった場合、
等がある。本明細書では、例として、“ｃａｍｐｅｄ  ｎｏｒｍａｌｌｙ”  ｓｔａｔｅの間に予め定められたサービスを行う為の帰属を許可されたセルを選択できなかった場合にカバレッジホールと判定すると仮定する。【００１５】
＜帰属可能なセル／無線基地局＞
ある端末が予め定められたサービスを行うために無線リンクの確立が許可されているセル／無線基地局を、本明細書では、「帰属可能なセル／無線基地局」と呼ぶ。反対に、予め定められたサービスを行う為の無線リンクの確立が許可されていないが、限られたサービスを受けるためにのみ帰属を許可されているセル／無線基地局、及び／又は、帰属を禁止されているセル／無線基地局を、本明細書では、「帰属不可能なセル／無線基地局」と呼ぶ。後者は、例えば、Ｎｏｎ−ｍｅｍｂｅｒ（非会員）に対するＣＳＧセルが相当する。【００１６】
Ｌｏｇｇｅｄ  ＭＤＴを設定された無線端末（ＵＥ）は、アイドル状態で測定を行い、アクティブ状態となりＲＲＣ接続を確立した時点でログを保有していることを（Ｅ−）ＵＴＲＡＮに通知し、（Ｅ−）ＵＴＲＡＮから該ログの報告の指示を受けた場合、報告を実行する。【００１７】
アイドル状態でＭＤＴ  ｍｅａｓｕｒｅｍｅｎｔ、ｌｏｇｇｉｎｇを実行するように無線ネットワーク側から設定された無線端末（ＵＥ）は、例えば、ＬＴＥでＲＲＣ＿ＣＯＮＮＥＣＴＥＤ状態に遷移する場合のＲＲＣコネクション確立時に、コネクション完了（ＲＲＣ＿ＣＯＮＮＥＣＴＩＯＮ  Ｓｅｔｕｐ  Ｃｏｍｐｌｅｔｅ ）メッセージ内の１ビットを用いて、ＭＤＴ測定結果が利用可能（ａｖａｉｌａｂｌｅ）であることを指示し、無線ネットワークは、この指示に基づき、測定結果のログを検索（収集）（ｒｅｔｒｉｅｖｅ）する。例えば、Ｅ−ＵＴＲＡＮの無線基地局（ｅＮｏｄｅＢ：ｅＮＢ）は、ログ検索（収集）のため、無線端末（ＵＥ）にＵＥ情報要求（ＵＥ  Ｉｎｆｏｒｍａｔｉｏｎ  Ｒｅｑｕｅｓｔ）を送信し、無線端末（ＵＥ）は、ＵＥ情報応答（ＵＥ  Ｉｎｆｏｒｍａｔｉｏｎ  Ｒｅｓｐｏｎｃｅ）として、測定結果のログを報告する。【００１８】
これにより、（ｅ）ＮｏｄｅＢ／ＲＮＣ、あるいは、上位ネットワークサーバ（Ｃｏｒｅ  Ｎｅｔｗｏｒｋ：「ＣＮ」、あるいは、Ｏｐｅｒａｔｉｏｎ  Ａｄｍｉｎｉｓｔｒａｔｉｏｎ  ａｎｄ  Ｍａｉｎｔｅｎａｎｃｅ：「ＯＡＭ」と略記する）にて、カバレッジの問題を把握することができる。ネットワークからの無線端末（ＵＥ）で保有するログ（測定結果）の検索（収集）、無線端末から保有ログ（測定結果）の報告をすることを、本明細書では、ログの検索（収集）（Ｌｏｇ  ｒｅｔｒｉｅｖａｌ）という。  【００１９】
以下、ＬＴＥのシステムを想定し、図２２を用いて、無線端末（ＵＥ）の動作を例示する。【００２０】
ＬＴＥのｅＮｏｄｅＢより、Ｌｏｇｇｅｄ  ＭＤＴの周期的な測定の実行指示を受けた無線端末（ＵＥ）は、時刻ｔ＝ｔ０で、アイドル状態（ＲＲＣ＿ＩＤＬＥ）となる。このとき無線端末（ＵＥ）はセル１に滞在（ｃａｍｐ）しているものとする。【００２１】
時刻ｔ＝ｔ０で、無線端末（ＵＥ）は、帰属セル１（ｓｅｒｖｉｎｇ  ｃｅｌｌ）、周辺セル２（ｎｅｉｇｈｂｏｕｒ  ｃｅｌｌ）の測定結果（ＲＳＲＰ及び／又はＲＳＲＱ）をロギングする。【００２２】
ｔ＝ｔ１で、無線端末（ＵＥ）は所定期間接続可能なセルを選択できず、カバレッジホール（Ｃｏｖｅｒａｇｅ  ｈｏｌｅ）であることを検出し、測定を中断する。これ以降で、接続可能なセルを選択できない状態の間では、測定結果の代わりに、“ＯＯＳ”（圏外）とロギングするようにしてもよい。無線端末（ＵＥ）は、再びセル１又は別の接続可能なセルを選択できた場合、ＭＤＴ  ｍｅａｓｕｒｅｍｅｎｔを再開する。【００２３】
無線端末（ＵＥ）は、アイドル状態でセル２に移動し、ｔ＝ｔ２でセル２（ｓｅｒｖｉｎｇ  ｃｅｌｌ）、周辺セル１（ｎｅｉｇｈｂｏｕｒ  ｃｅｌｌ）の測定結果をロギングする。【００２４】
ｔ＝ｔ３で、無線端末（ＵＥ）はアクティブ状態（ＲＲＣ＿ＣＯＮＮＥＣＴＥＤ）になり、保有ログをセル２の基地局ｅＮｏｄｅＢ２に報告する。【００２５】
このように、ＵＥがカバレッジホールを検出した場合、カバレッジホールを検出するまでの受信品質、或いは、カバレッジホールであったという事実（ＯＯＳ）をｅＮｏｄｅＢに報告することで、ｅＮｏｄｅＢあるいはＯＡＭ等の上位ネットワークサーバで、該事実を基に、カバレッジの最適化等、必要な対処法を実行することができる。
【先行技術文献】
【非特許文献】
【００２６】
【非特許文献１】３ＧＰＰ  ＴＲ３６．８０５  ｖ９．０．０  （インターネット＜ｈｔｔｐ：／／ｗｗｗ．３ｇｐｐ．ｏｒｇ／ｆｔｐ／Ｓｐｅｃｓ／ｈｔｍｌ−ｉｎｆｏ／３６８０５．ｈｔｍ＞）
【非特許文献２】Ｒ２−１０５２３８  （３ＧＰＰ  ＴＳ３７．３２０  ｖ１．０．０  （２０１０−０８））（インターネット＜ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿７１／Ｄｏｃｓ／Ｒ２−１０５２３８．ｚｉｐ＞）
【非特許文献３】Ｒ２−１０３９４２  （インターネット＜ｈｔｔｐ：／／ｗｗｗ．３ｇｐｐ．ｏｒｇ／ｆｔｐ／ｔｓｇ＿ｒａｎ／ＷＧ２＿ＲＬ２／ＴＳＧＲ２＿７０ｂｉｓ／Ｄｏｃｓ／Ｒ２−１０３９４２．ｚｉｐ＞
【非特許文献４】３ＧＰＰ  ＴＳ２５．１３３  ｖ４．０．０  （２００１−０３）（インターネット＜ｈｔｔｐ：／／ｗｗｗ．３ｇｐｐ．ｏｒｇ／ｆｔｐ／Ｓｐｅｃｓ／ａｒｃｈｉｖｅ／２５＿ｓｅｒｉｅｓ／２５．１３３／２５１３３−４００．ｚｉｐ＞）
【非特許文献５】３ＧＰＰ  ＴＳ３６．１３３  Ｖ９．４．０  （２０１０−０６）（インターネット＜ｈｔｔｐ：／／ｗｗｗ．３ｇｐｐ．ｏｒｇ／ｆｔｐ／Ｓｐｅｃｓ／ａｒｃｈｉｖｅ／３６＿ｓｅｒｉｅｓ／３６．１３３／３６１３３−９４０．ｚｉｐ＞）
【非特許文献６】３ＧＰＰ  ＴＳ３６．３０４  ｖ９．３．０（インターネット＜ｈｔｔｐ：／／ｗｗｗ．３ｇｐｐ．ｏｒｇ／ｆｔｐ／Ｓｐｅｃｓ／ｈｔｍｌ−ｉｎｆｏ／３６３０４．ｈｔｍ＞）
【非特許文献７】３ＧＰＰ  ＴＳ３６．３００  ｖ９．４．０（インターネット＜ｈｔｔｐ：／／ｗｗｗ．３ｇｐｐ．ｏｒｇ／ｆｔｐ／Ｓｐｅｃｓ／ｈｔｍｌ−ｉｎｆｏ／３６３００．ｈｔｍ＞）
【非特許文献８】３ＧＰＰ  ＴＳ２１．９０５  ｖ９．４．０（インターネット＜ｈｔｔｐ：／／ｗｗｗ．３ｇｐｐ．ｏｒｇ／ｆｔｐ／Ｓｐｅｃｓ／ｈｔｍｌ−ｉｎｆｏ／２１９０５．ｈｔｍ＞）
【発明の概要】
【発明が解決しようとする課題】
【００２７】
以下に関連技術の課題の分析結果を与える。【００２８】
関連技術において、無線端末（ＵＥ）によるカバレッジホールであるか否かの判定は、帰属可能なセル／ｅＮｏｄｅＢのみを対象にしている。従って、カバレッジホールと判定した場合に、無線ネットワーク側で分かる情報は「帰属可能なセルがない」ことである。【００２９】
しかし、ＵＥ側でカバレッジホールと判定した場合でも、必ずしも周辺のすべての無線基地局からの下りパイロット信号の受信品質が、基本サービスを行うために必要な値を下回っている（これにより、ＳＲＢの確立やシステム情報の取得ができない）とは限らない。【００３０】
例えば、「帰属可能なセルは無いが、帰属不可能なセルはある」という状況、つまり、帰属不可能なセルの受信品質は所定値以上であるが、該セルには帰属はできない場合等である。具体的には、例えば以下３つの場合（ケース）において、上記状況が起こることが想定される。【００３１】
ケース１）
図２３（Ａ）に示すように、マクロセル（Ｍａｃｒｏ  Ｃｅｌｌ）とＣＳＧセルとの異種ネットワーク（Ｈｅｔｅｒｏｇｅｎｅｏｕｓ  Ｎｅｔｗｏｒｋ：ＨｅｔＮｅｔ）で、無線端末（ＵＥ）が帰属（接続）を許可されていない非会員ＣＳＧセル（ｎｏｎ−ｍｅｍｂｅｒ  ＣＳＧ  ｃｅｌｌ）の内部、又は、マクロセルと非会員ＣＳＧセルとの境界にあるとき。なお、マクロセルの代わりに、マイクロセルやピコセルでも同様である。本明細書では、典型的な例として、マクロセルに注目して説明する。【００３２】
ケース２）  
図２３（Ｂ）に示すように、無線端末（ＵＥ）が帰属（接続）を許可されていないブラックリストセル（Ｂｌａｃｋ  ｌｉｓｔｅｄ  ｃｅｌｌ）との境界（例えば川（ｒｉｖｅｒ)、ビル高層階の飛び地等）。【００３３】
ケース３）
無線端末（ＵＥ）に対して、帰属（接続）が禁止されているセル（Ｂａｒｒｅｄ  ｃｅｌｌ）との境界、或いは、当該セルの内部。【００３４】
このように、カバレッジホールの原因は状況により異なる。【００３５】
既存の関連技術では、これらを無線ネットワーク側で区別することは出来ない。すなわち、無線端末からカバレッジホール検出時点の測定結果やカバレッジホール検出の報告（ＯＯＳ）を受けても、無線ネットワーク側で、「帰属可能なセルは無いが、帰属不可能なセルはある」という状況（具体的には、上記ケース１、２等）を把握することはできない。すなわち、カバレッジホールとなった原因を無線ネットワーク側で正しく特定することはできない。【００３６】
このため、カバレッジホールとなった原因は例えば、一様に、マクロセルのカバレッジ問題であるものと判断し、当該カバレッジホールの対処法を決定して実行してしまう場合がある。その結果、無線ネットワーク側で当該カバレッジホールに対して不適切な対処が行われ、セル間干渉に起因したカバレッジ問題が解決されない、という不都合が発生することになる。【００３７】
したがって、本発明の目的は、無線ネットワーク側で無線端末（ＵＥ）が検出した無線カバレッジの不具合の原因を判別可能とするシステム、方法、装置を提供することにある。
【課題を解決するための手段】
【００３８】
前記課題を解決するため、本発明は概略以下の構成とされる。【００３９】
本発明によれば、無線局からの測定指示情報を取得した無線端末は、前記測定指示情報に従って測定と記録を行い、前記無線局に報告する無線通信システムであって、前記無線端末が、予め定められたサービスに関して帰属を許可されている第１のセルの選択又は検出に関する第１の条件を満たし、且つ、測定又は記録に関する第２の条件を満たす場合に、前記予め定められたサービスに関して帰属を許可されていない第２のセルに関連する情報を記録する測定実施部を備える、無線通信システムが提供される。【００４０】
本発明によれば、無線局から送信された測定指示情報を受け、前記測定指示情報に従って測定と記録を行い、予め定められたサービスに関して帰属を許可されている第１のセルの選択又は検出に関する第１の条件を満たし、且つ、測定又は記録に関する第２の条件を満たす場合に、前記予め定められたサービスに関して帰属を許可されていない第２のセルに関連する情報を記録する測定実施部を備えた無線端末無線端末が提供される。【００４１】
本発明によれば、無線局からの測定指示情報を受け取った無線端末が、前記測定指示情報に従って、測定と記録を行い、予め定められたサービスに関して帰属を許可されている第１のセルの選択又は検出に関する第１の条件を満たし、且つ、測定又は記録に関する第２の条件を満たす場合に、前記予め定められたサービスに関して帰属を許可されていない第２のセルに関連する情報を記録し前記無線局側に報告する無線通信システムの無線局であって、帰属を許可された前記第１のセルの検出が不可能な状況を検出した前記無線端末からの報告が、帰属を許可されていない前記第２のセルが周辺に存在することを示す場合には、前記第１のセルと前記第２のセルとの干渉を低減させる対策として、前記第１のセルと前記第２のセルの少なくとも一方のネットワーク設定の変更を実行し、
前記無線端末からの報告が前記第２のセルが周辺に存在しないことを示す場合には、前記第１のセルのカバレッジに関するネットワーク設定の変更を実行する、無線局が提供される。【００４２】
本発明によれば、無線局からの測定指示情報を受け取った無線端末が、前記測定指示情報に従って、測定と記録を行い、予め定められたサービスに関して帰属を許可されている第１のセルの選択又は検出に関する第１の条件を満たし、且つ、測定又は記録に関する第２の条件を満たす場合に、前記予め定められたサービスに関して帰属を許可されていない第２のセルに関連する情報を記録し前記無線局側に報告する無線通信システムの運用管理を行うサーバ装置であって、
帰属を許可された第１のセルの検出が不可能な状況を検出した前記無線端末からの報告が、帰属を許可されていない第２のセルが周辺に存在することを示す場合には、前記第１のセルと前記第２のセルとの干渉を低減させる対策として、前記第１のセルと前記第２のセルの少なくとも一方のネットワーク設定を変更し、
前記無線端末からの報告が前記第２のセルが周辺に存在しないことを示す場合には、前記第１のセルのカバレッジに関するネットワーク設定を変更するように制御する運用管理サーバ装置が提供される。【００４３】
本発明によれば、無線局からの測定指示情報を無線端末が取得し、前記測定指示情報に従って測定と記録を行い前記無線局に報告する無線通信方法であって、
前記無線端末が、予め定められたサービスに関して帰属を許可されている第１のセルの選択又は検出に関する第１の条件を満たし、且つ、測定又は記録に関する第２の条件を満たす場合に、前記予め定められたサービスに関して帰属を許可されていない第２のセルに関連する情報を記録する無線通信方法が提供される。
【発明の効果】
【００４４】
本発明によれば、無線ネットワーク側でカバレッジホールなどのカバレッジ問題がカバレッジ不足に起因するのか干渉問題に起因するのか等、原因の切り分けを実現することができる。
【図面の簡単な説明】
【００４５】
【図１】本発明の第１の実施形態のシステム構成を説明する図である。
【図２】本発明の第１の実施形態の測定実施部の構成を説明する図である。
【図３】本発明の第１の実施形態のシステムのシーケンス動作を説明する図である。
【図４】本発明の第１の実施形態の変形例のシステムのシーケンス動作を説明する図である。
【図５】本発明の第２の実施形態の無線端末の動作を説明するフローチャートである。
【図６】本発明の第２の実施形態のシステムのシーケンス動作を説明する図である。
【図７】本発明の第２の実施形態におけるログの例を説明する図である。
【図８】本発明の第２の実施形態の変形例１における無線端末の動作を説明するフローチャートである。
【図９】本発明の第２の実施形態の変形例１のシステムのシーケンス動作を説明する図である。
【図１０】本発明の第２の実施形態の変形例２のシステムのシーケンス動作を説明する図である。
【図１１】本発明の第３の実施形態の無線端末の動作を説明するフローチャートである。
【図１２】本発明の第３の実施形態のシステムのシーケンス動作を説明する図である。
【図１３】本発明の第３の実施形態におけるログの例を説明する図である。
【図１４】本発明の実施形態３の変形例２のシステムのシーケンス動作を説明する図である。
【図１５】本発明の第４の実施形態の無線端末の動作の一例を説明するフローチャートである。
【図１６】本発明の第４の実施形態の無線端末の動作の別の例を説明するフローチャートである。
【図１７】本発明の第４の実施形態におけるログの例を説明する図である。
【図１８】本発明の第４の実施形態の変形例１の無線端末の動作を説明するフローチャートである。
【図１９】本発明の第４の実施形態の変形例２の無線端末の動作を説明するフローチャートである。
【図２０】本発明の第５の実施形態のシーケンス動作を説明する図である。
【図２１】本発明の第５の実施形態におけるログの例を説明する図である。
【図２２】Ｌｏｇｇｅｄ  ＭＤＴによるカバレッジホール検出時の動作を説明する模式図である。
【図２３】関連技術の問題点を説明するための図である。
【発明を実施するための形態】
【００４６】
本発明の実施形態について３ＧＰＰ（３ｒｄ  Ｇｅｎｅｒａｔｉｏｎ  Ｐａｒｔｎｅｒｓｈｉｐ  Ｐｒｏｊｅｃｔ）の無線通信システムを例に用いて説明する。本発明の好ましい態様の一つにおいて、無線端末は、アイドル状態で予め定められたサービスに関して帰属を許可されている第１のセルに関する第１の条件を満たした場合に、周辺の予め定められたサービスに関して帰属を許可されていない第２のセルに関連する情報を記録（ロギング）し、後に、アクティブ状態になったときに、無線ネットワークに報告する。ここで、予め定められたサービスとしては、例えば、無線端末及び無線ネットワークがサポートしている通常サービス（Ｎｏｒｍａｌ  ｓｅｒｖｉｃｅ）（発呼、着呼、ユーザデータの送受信、など）がある。従って、この場合、第１のセルは、例えば、通常サービス（Ｎｏｒｍａｌ  ｓｅｒｖｉｃｅ）を受ける（行う）ことを許可されているセルである。以下では、あくまでも一例として、予め定められたサービスとして、通常サービスを例に説明を行うが、これに限定はされるものでないことは勿論である。
【００４７】
また、第２のセルとは、限られたサービス（Ｌｉｍｉｔｅｄ  ｓｅｒｖｉｃｅ）を受ける為にのみ帰属することを許可されているセル、及び／又は、帰属（接続）を禁止されているセルである。３ＧＰＰで用いられる定義としては、
第１のセルは、“適切なセル（Ｓｕｉｔａｂｌｅ  ｃｅｌｌ）”、
第２のセルは“容認可能なセル（Ａｃｃｅｐｔａｂｌｅ  ｃｅｌｌ）”、及び／又は、“禁止されているセル（Ｂａｒｒｅｄ  ｃｅｌｌ）”に相当する（非特許文献６）。
【００４８】
なお、限られたサービスとしては、緊急呼（Ｅｍｅｒｇｅｎｃｙ  ｃａｌｌ）、地震や津波などの緊急速報（Ｅａｒｔｈｑｕａｋｅ  ａｎｄ  Ｔｓｕｎａｍｉ  Ｗａｒｎｉｎｇ  Ｓｙｓｔｅｍ：ＥＴＷＳ）（非特許文献７）などがある。
【００４９】
また、上記の「第１の条件」としては、
・無線端末が第１のセルの選択が不可能な状況を検出した事、
・無線端末が帰属中のサービングセルの受信品質がセル選択基準を満たさなくなった事、
・無線端末が帰属中のサービングセルの受信品質がセル選択基準を満たさなくなってから所定期間経過した事、
・無線端末が第２のセルの検出を行う状態に遷移した事、
の少なくともいずれか１つがある。特に、無線端末が第１のセルの選択が不可能な状況、を無線端末が検出した場合、該無線端末が滞在するエリアを“カバレッジホール（Ｃｏｖｅｒａｇｅ  ｈｏｌｅ）”と呼ぶ。
【００５０】
さらに、測定又は記録に関する第２の条件を、予め設定しても良い。例えば、
・無線端末が第１の条件を満たす以前（直前）に測定指示（及び、指定された測定動作）が有効であった（実行していた）という条件、
・無線端末が第１の条件を満たす以前（直前）の最後に帰属していたエリアが予め定められた所定のエリアに属するという条件、
・無線端末が第１の条件を満たした時点で有効な位置情報を保有しているという条件、無線端末が第１の条件を満たした時点で下り既知信号（パイロット信号、リファレンス信号）の受信品質が最大であるエリアが所定のエリアに属するという条件、
等がある。
【００５１】
同様に、第２のセルに関連する情報を記録する所定タイミングを、予め設定しても良い。例えば、無線基地局／基地局制御局などの無線ネットワークから無線端末に送られる測定指示情報にて指定される周期、第１の条件を満たした時点、などがある。
【００５２】
なお、３ＧＰＰで想定されている、より詳細なカバレッジホールの定義としては、下り信号の受信品質（Ｓｉｇｎａｌ  ｔｏ  Ｎｏｉｓｅ  ｐｏｗｅｒ  Ｒａｔｉｏ：ＳＮＲ、Ｓｉｇｎａｌ  ｔｏ  Ｉｎｔｅｒｆｅｒｅｎｃｅ  ａｎｄ  Ｎｏｉｓｅ  ｐｏｗｅｒ  Ｒａｔｉｏ：ＳＩＮＲなど）が基本サービスを行う為に必要な値（レベル）を下回っている状況を指す。ここで、基本サービスとは、例えば、ＳＲＢ（Ｓｉｇｎａｌｌｉｎｇ  Ｒａｄｉｏ  Ｂｅａｒｅｒ）の確立、報知されるシステム情報（共通情報）の取得、無線端末と無線基地局との間での制御情報の交換などを指す。受信品質としては、他に、ＬＴＥでは、Ｒｅｆｅｒｅｎｃｅ  Ｓｉｇｎａｌ  Ｒｅｃｅｉｖｅｄ  Ｐｏｗｅｒ：ＲＳＲＰ、Ｒｅｆｅｒｅｎｃｅ  Ｓｉｇｎａｌ  Ｒｅｃｅｉｖｅｄ  Ｑｕａｌｉｔｙ：ＲＳＲＱ、ＵＭＴＳではＣｏｍｍｏｎ  Ｐｉｌｏｔ  Ｃｈａｎｎｅｌ：ＣＰＩＣＨのＲｅｃｅｉｖｅｄ  Ｓｉｇｎａｌ  Ｃｏｄｅ  Ｐｏｗｅｒ：ＲＳＣＰ、Ｒａｔｉｏ  ｏｆ  ｅｎｅｒｇｙ  ｐｅｒ  ｍｏｄｕｌａｔｉｎｇ  ｂｉｔ  ｔｏ  ｔｈｅ  ｎｏｉｓｅ  ｓｐｅｃｔｒａｌ  ｄｅｎｓｉｔｙ：Ｅｃ／Ｎｏ等が用いられる。
【００５３】
あるいは、無線端末が、通常サービスを受ける為の帰属を許可されたセルを選択できなかった、つまり、報知されるシステム情報を取得できる通常サービスを受ける為の帰属を許可されたセルを検出できなかった、という状況をカバレッジホールと呼ぶこともできる。
【００５４】
第２のセルに関連する情報としては、例えば、
・第２のセルの測定結果（受信品質、セル識別子、アクセス制限情報、等）、
・第２のセルの有無（周辺に第２のセルが存在するか否か）を、示す情報、
・第２のセルの種類（限られたサービスのみ可能なセルか、帰属（接続）を禁止されているセルか）を示す情報、
・下りパイロット信号（リファレンス信号）の受信品質が所定値以上、及び／又は、システム情報を取得できるが、該セルが第２のセルである情報、
・下りパイロット信号（リファレンス信号）の受信品質が所定値以上だが、システム情報を取得できないセルの有無、
・下りパイロット信号（リファレンス信号）の受信品質が最大であるセルが第１のセルか第２のセルかを示す情報、
等がある。
【００５５】
なお、アクセス制限情報としては、フェムトセル（又は、ホームセルとも呼ぶ）のサービス形態の１つである、通常サービスを受ける為の帰属を許可されている無線端末（会員：ｍｅｍｂｅｒ）が制限されているクローズドセル（Ｃｌｏｓｅｄ  Ｓｕｂｓｃｒｉｂｅｒ  Ｇｒｏｕｐ（ＣＳＧ）セル）における会員情報（ＣＳＧ  Ｉｄｅｎｔｉｔｙ（ＩＤ））や、アクセス禁止（Ａｃｃｅｓｓ  Ｃｌａｓｓ（ＡＣ）  Ｂａｒｒｉｎｇ）に関する情報などがある。
【００５６】
無線端末による通常サービスを受ける為の帰属を許可されていない第２のセルが周辺に存在するか否かの判定は、
・周辺の特定セルへの通常サービスを受ける為の帰属を許可されていないことを予め認識しており、該セルの下り信号の受信品質が所定値以上（例えば基本サービスを行う為に必要なレベル以上）であるか否かで判定する方法、
・周辺の特定セルへの通常サービスを受ける為の帰属を許可されていないことを予め認識しており、該セルで報知されるシステム情報が取得可能か否かで判定する方法、
・周辺セルの識別子（例えば、Ｐｈｙｓｉｃａｌ  Ｃｅｌｌ  ＩＤ：ＰＣＩ／Ｐｒｉｍａｒｙ  Ｓｃｒａｍｂｌｉｎｇ  Ｃｏｄｅ：ＰＳＣ）を検出し、該識別子から通常サービスを受ける為の帰属を許可されているか否かを認識し、該セルの下り信号の受信品質が所定値以上（例えば基本サービスを行う為に必要なレベル以上）であるか否かで判定する方法、
・周辺セルの識別子（例えば、Ｐｈｙｓｉｃａｌ  Ｃｅｌｌ  ＩＤ：ＰＣＩ／Ｐｒｉｍａｒｙ  Ｓｃｒａｍｂｌｉｎｇ  Ｃｏｄｅ：ＰＳＣ）を検出し、該識別子から通常サービスを受ける為の帰属を許可されているか否かを認識し、該セルで報知されるシステム情報が取得可能か否かで判定する方法、
・周辺セルで報知されているシステム情報を取得し、該システム情報を基に通常サービスを受ける為の帰属を許可されているか否かを判定する方法、
等を用いることができる。しかしながら、本発明は、上記に列挙した方法に限定されるものでないことは勿論である。
【００５７】
本明細書では、ある無線端末（ＵＥ）が、予め定められたサービス、例えば通常サービスを受ける（行う）ために帰属（接続）、つまり無線リンクの確立が許可されているセル／無線基地局を「帰属可能なセル／無線基地局」と呼ぶ。反対に、予め定められたサービス、例えば通常サービスを受けるための帰属を許可されていない、つまり、限られたサービスを受ける為にのみ無線リンクの確立が許可されているセル／無線基地局、及び／又は、無線リンクの確立を許可されていない（禁止されている）セル／無線基地局を「帰属不可能なセル／無線基地局」と呼ぶ。ここで、帰属可能なセルが上述の第１のセルに、帰属不可能なセルが第２のセルに、それぞれ相当する。
【００５８】
なお、無線端末（ＵＥ）がいつの時点でカバレッジホールと判定するかについては、例えば、所定期間に、帰属可能なセルを選択できなかった（報知されるシステム情報を取得できなかった、あるいは、受信品質が所定値未満であった）場合に、カバレッジホールと判定する方法がある。ここで、所定期間とは、
・“ｃａｍｐｅｄ  ｎｏｒｍａｌｌｙ”  ｓｔａｔｅの間、
・“ａｎｙ  ｃｅｌｌ  ｓｅｌｅｃｔｉｏｎ”  ｓｔａｔｅの間、
・“ｃａｍｐｅｄ  ｏｎ  ａｎｙ  ｃｅｌｌ”  ｓｔａｔｅの間
等がある。
【００５９】
ここで、３ＧＰＰで規定されるシステムにおける無線端末（ＵＥ）の通常動作としては、
“適切なセル（Ｓｕｉｔａｂｌｅ  ｃｅｌｌ）”を選択している間は“ｃａｍｐｅｄ  ｎｏｒｍａｌｌｙ”  ｓｔａｔｅ、
その後、“適切なセル（Ｓｕｉｔａｂｌｅ  ｃｅｌｌ）”を選択（検出）できない（できなくなった）場合に“ａｎｙ  ｃｅｌｌ  ｓｅｌｅｃｔｉｏｎ”  ｓｔａｔｅに遷移し、
“容認可能なセル（Ａｃｃｅｐｔａｂｌｅ  ｃｅｌｌ）”を選択（検出）できた場合に、“ｃａｍｐｅｄ  ｏｎ  ａｎｙ  ｃｅｌｌ”  ｓｔａｔｅに遷移する。
【００６０】
本明細書では、一例として、“ｃａｍｐｅｄ  ｎｏｒｍａｌｌｙ”  ｓｔａｔｅの間（つまり、“ａｎｙ  ｃｅｌｌ  ｓｅｌｅｃｔｉｏｎ”  ｓｔａｔｅに遷移する前）に帰属可能なセルを選択できなかった場合に、カバレッジホールと判定するものとする。ただし、本発明において、カバレッジホールの判定は、特にこれに限定されるものでないことは勿論である。
【００６１】
さらに、以下の実施形態の説明では、基本的に、第１のセルの選択又は検出に関する第１の条件として、カバレッジホールの検出、および、サービングセルの受信品質がセル選択基準を満たさなくなった事を想定し、それらの問題検出時の無線端末（ＵＥ）の動作として記載しているが、カバレッジホール検出の前段階、例えば上述の所定期間の間の動作にも、適用可能である。
【００６２】
また、アイドル状態の対象としては、３ＧＰＰ  ＬＴＥ（Ｌｏｎｇ  Ｔｅｒｍ  Ｅｖｏｌｕｔｉｏｎ）におけるＲＲＣ＿ＩＤＬＥ、３ＧＰＰ  ＵＭＴＳ（Ｕｕｎｉｖｅｒｓａｌ  Ｍｏｂｉｌｅ  Ｔｅｌｅｃｏｍｍｕｎｉｃａｔｉｏｎ  Ｓｙｓｔｅｍ）におけるＵＴＲＡＮ  ＩＤＬＥ、ＣＥＬＬ＿ＰＣＨ、ＵＲＡ＿ＰＣＨなどを含むものとする。なお、以下では、Ｌｏｇｇｅｄ  ＭＤＴに関する説明はＬＴＥのＲＲＣ＿ＩＤＬＥ、ＵＭＴＳのＵＴＲＡＮ ＩＤＬＥに注目して行うが、ＣＥＬＬ＿ＰＣＨ、ＵＲＡ＿ＰＣＨについても、本発明が適用可能であることは勿論である。
【００６３】
本発明におけるカバレッジホール検出時の無線端末（ＵＥ）の動作としては、具体的には以下の２つのオプションがある。なお、前述の通り、本発明は、カバレッジホール検出の前段階、例えば、上述の所定期間の間の動作としても、適用可能である。
【００６４】
＜オプション１＞
周辺に予め定められたサービスに関して例えば通常サービスを受ける事を許可されていない帰属不可能なセルが存在する場合、無線端末は、該予め定められたサービスに関して帰属不可能なセルの測定を実行し、該測定結果をロギングする。なお、下りパイロット信号の受信品質が、所定値以上の場合だけ、該測定結果をロギングしてもよい。また、さらに“ＯＯＳ（Ｏｕｔ  Ｏｆ  Ｓｅｒｖｉｃｅ）”（圏外）とロギングしてもよい。一方、周辺に予め定められたサービスに関して帰属不可能なセルが存在しない場合、特に、何もロギングしない、あるいは“ＯＯＳ”とだけロギングする。なお、“ＯＯＳ”の代わりに、“Ｏｕｔ  Ｏｆ  Ｃｏｖｅｒａｇｅ：ＯＯＣ”等、カバレッジホール／カバレッジ外／サービス圏外等を示す情報でありさえすればよく、これらに限定されるものでないことは勿論である。ここで、予め定められたサービスに関して帰属不可能なセルの測定結果、“ＯＯＳ”等が、上述の第２のセルに関連する情報に相当する。
【００６５】
＜オプション２＞  
予め定められたサービスに関して例えば通常サービスを受ける事を許可されていない帰属不可能なセルの周辺情報（Ｎｅｉｇｈｂｏｕｒ  ｉｎｆｏｒｍａｔｉｏｎ）（上述の第２のセルに関連する情報に相当）をロギングする。また、さらに“ＯＯＳ”（圏外）とロギングしてもよい。周辺情報として、以下が挙げられる。
【００６６】
（Ａ）予め定められたサービスに関して帰属不可能なセルの有無。
予め定められたサービスに関して帰属不可能なセルが存在する場合、該セルの情報（ＰＣＩ／ＰＳＣ、及び／又は、ＥＣＧＩ（Ｅ−ＵＴＲＡＮ  Ｃｅｌｌ  Ｇｌｏｂａｌ  Ｉｄｅｎｔｉｆｉｅｒ）／ＣＧＩ）も含む。
【００６７】
（Ｂ）下りパイロット信号の受信強度（ＲＳＲＰ／ＲＳＣＰ）は、予め定められた所定値以上であるが、報知情報を取得することが不可能であるセルの有無。  
該当するセルが存在する（“有”の）場合、該セルの情報（ＲＳＲＰ／ＲＳＣＰ、ＰＣＩ／ＰＳＣ、ＥＣＧＩ／ＣＧＩ、その他）も含む。
【００６８】
（Ｃ）下りパイロット信号の受信品質（ＲＳＲＱ／Ｅｃ／Ｎｏ）が最大であるセルが予め定められたサービスに関して帰属可能なセル（又は、直前の帰属セル（ｓｅｒｖｉｎｇ  ｃｅｌｌ）あるいは隣接セルリスト（ＮＣＬ）の隣接セルに該当する）か否かの情報、又は、反対に、下りパイロット信号の受信品質（ＲＳＲＱ／Ｅｃ／Ｎｏ）が最大であるセルが帰属不可能なセルか否かの情報を含む。
【００６９】
なお、（Ａ）は予め定められたサービスに関して帰属不可能なセルの有無、（Ｂ）は予め定められたサービスに関して帰属可能なセルか帰属不可能なセルか不明だが、所定条件を満たすセルの有無、（Ｃ）は予め定められたサービスに関して帰属不可能なセルの存在に関連する情報である。これらの周辺情報は、予め定められたサービスに関して帰属可能なセルに関する情報も含みうるものであり、予め定められたサービスを受ける（行う）為の帰属を許可されていない予め定められたサービスに関して帰属不可能なセルに関連する周辺情報と言うことができる。
【００７０】
ここで、例えば、マクロセルを管理するマクロ基地局（Ｍａｃｒｏ  （ｅ）ＮＢ）とＣＳＧセルを管理するフェムト基地局（又は、Ｈ（ｅ）ＮＢ：Ｈｏｍｅ  （ｅ）ＮｏｄｅＢ）が存在するヘテロジーニアス・ネットワーク（Ｈｅｔｅｒｏｇｅｎｅｏｕｓ  Ｎｅｔｗｏｒｋ：ＨｅｔＮｅｔ）において、ある無線端末が帰属可能なセルがマクロセルで、帰属不可能なセルがＣＳＧセルである場合を想定する。
【００７１】
無線ネットワーク側では、予め定められたサービスに関して帰属不可能なセルの存在を示す情報が（“ＯＯＳ”と共に）無線端末から報告された場合、カバレッジホールの原因が、該無線端末が帰属可能なセル間（例えば、マクロセル間）のカバレッジ問題ではなく、該無線端末が帰属不可能なセル（例えば、ＣＳＧセル等）による過干渉が影響していると判定する。この場合、マクロセルとＣＳＧセルの間の干渉回避技術の適用（無線パラメータの調整）等を行う。又は、該ＣＳＧセルをオープンセル或いはハイブリッドセルにすることも考えられる。
【００７２】
予め定められたサービスに関して帰属不可能なセルの存在を示す情報が報告されない場合、マクロセル間のカバレッジ問題であると判定し、マクロセルのカバレッジ最適化を適用する。マクロセルのカバレッジ最適化は、公知の任意の最適化（例えば、特定のマクロセルにおけるパイロット信号などの送信電力の増減を行う、又はアンテナチルト角の調整によりカバレッジを拡大縮小する）が用いられる。
【００７３】
その他の例としては、例えば、ある無線端末が帰属不可能なマクロセルと、該無線端末（が属するＡｃｃｅｓｓ  Ｃｌａｓｓ(ＡＣ)）に対してアクセスを禁止している（Ａｃｃｅｓｓ  Ｃｌａｓｓ（ＡＣ）  Ｂａｒｒｉｎｇ）帰属不可能なマクロセルが隣接している場合を想定する。
【００７４】
無線ネットワーク側では、帰属不可能なセルの存在を示す情報が（“ＯＯＳ”と共に）無線端末から報告された場合、カバレッジホールの原因が、該無線端末が帰属可能なセルと帰属不可能なセルとの間の過干渉が影響していると判定する。この場合、帰属可能なマクロセルと帰属不可能なマクロセルの間の干渉回避技術の適用（無線パラメータの調整）を行うか、或いは、当該帰属不可能なセルにおけるアクセス禁止を緩和（中止）し、当該無線端末に対して予め定められたサービス、例えば通常サービスを行う為の帰属を許可する。
【００７５】
帰属不可能なセルの存在を示す情報が報告されない場合、帰属可能なマクロセル間のカバレッジ問題であると判定し、マクロセルのカバレッジ最適化を適用する。マクロセルのカバレッジ最適化は、公知の任意の最適化（例えば、特定のマクロセルにおけるパイロット信号などの送信電力の増減を行う、又はアンテナチルト角の調整によりカバレッジを拡大縮小する）が用いられる。
【００７６】
なお、本実施の形態では予め定められたサービスに関して帰属不可能であるとして記載を行ったが、全てのサービスにおいて帰属不可能である場合にも本発明は適用可能である。
【００７７】
＜実施形態１＞
図１は、本発明の一実施形態における無線端末（ＵＥ）、基地局／基地局制御局、ＯＡＭ（Ｏｐｅｒａｔｉｏｎ  Ａｄｍｉｎｉｓｔｒａｔｉｏｎ  ａｎｄ  Ｍａｉｎｔｅｎａｎｃｅ）／ＳＯＮ（Ｓｅｌｆ  Ｏｒｇａｎｉｚｉｎｇ  Ｎｅｔｗｏｒｋ）サーバの構成をブロック構成にて示す図である。無線端末１０は、基地局２０からの無線により送信される測定指示（Ｌｏｇｇｅｄ  ＭＤＴのコンフィギュレーション・メッセージ）を取得する測定指示取得部１１と、測定指示取得部１１からの測定指示を受け、下り信号の受信品質等を測定する測定実施部１２と、測定結果を基地局２０に無線で報告する測定結果報告部１３を備えている。無線端末１０には図示されない無線部、ベースバンド部を備え、電源オン時の初期セルサーチのほか、通信中、待ち受け中、間欠受信時等において同期信号等に基づき、無線端末にとって受信品質が良好であるセル等、適切なセルのサーチを行うセル検出部１４と、制御回路として、無線リンクの接続確立、接続維持、解放等の無線回線制御、さらに、アイドル状態／アクティブ状態の管理、各部の制御を行う制御部１５を備えている。
【００７８】
基地局２０は、無線端末１０に対して測定指示を行う測定指示部２１と、測定指示部２１からの測定指示を受けた無線端末１０からの測定結果を取得する測定結果取得部２２と、測定結果をＯＡＭ／ＳＯＮサーバ３０に報告する測定結果報告部２３と、基地局２０の無線パラメータ（送信アンテナのチルト角、送信電力等）の設定変更を行う無線パラメータ設定変更部２４を備えている。
【００７９】
ＯＡＭ／ＳＯＮサーバ３０は、基地局２０の測定結果報告部２３から測定結果を受け取る測定結果取得部３１と、無線パラメータ設定指示部３２を備えている。無線パラメータ設定指示部３２は、無線パラメータ設定指示を基地局２０に対して行う。なお、本実施の形態ではＯＡＭ／ＳＯＮサーバ３０が基地局２０に対して無線パラメータ設定の指示を行うとして説明するが、基地局が無線パラメータを決定し、他の基地局に対して決定した無線パラメータを通知するという形態でもよい。
【００８０】
図２は、図１の測定実施部１２の構成を示す図である。図２を参照すると、測定実施部１２は、測定実施判定部１２１と、カバレッジ問題検出部１２２と、測定部１２３と、測定結果保持部（記憶部）１２４を備えている。測定実施判定部１２１は、測定指示取得部１１からの指示を受け、内蔵する不図示の時計（タイマー）にしたがって周期的に、測定を行うように、測定部１２３に指示する。そして、測定部１２３での測定の結果、帰属セルの受信品質が予め定められた所定値以下に劣化し、カバレッジ問題検出部１２２でカバレッジホール検出と判断した場合、以下、いくつかの例で説明されるように、測定実施判定部１２１は、カバレッジホール検出に対応して予め定められている測定動作（例えば周辺にある、予め定められたサービス、例えば通常サービスを受ける（行う）為の帰属を許可されていないセルの測定、該セルに関する情報の取得等）を行うように測定部１２３に指示する。測定部１２３は、測定結果、あるいは、“ＯＯＳ”（圏外）情報、周辺情報等を測定結果保持部１２４に格納する。アイドル（ＬＴＥではＲＲＣ＿ＩＤＬＥ）状態からアクティブ（ＬＴＥではＲＲＣ＿ＣＯＮＮＥＣＴＥＤ）となると、測定結果報告部１３は、Ｌｏｇｇｅｄ  ＭＤＴの測定結果が利用可能であることを（Ｅ−）ＵＴＲＡＮに通知し、（Ｅ−）ＵＴＲＡＮからのログ検索（ログ収集）に対応して、測定結果保持部１２３に保持されているログ（測定結果）を報告する。
【００８１】
図３は、本発明の第１の実施形態のシステム全体の手順（シーケンス動作）を示す図である。本実施形態では、上述の「第１の条件」として「無線端末が第１のセルの選択が不可能な状況を検出した事」を用いる。なお、「ｅＮＢ／ＲＮＣ」は、Ｅ−ＵＴＲＡＮのネットワークノードｅＮｏｄｅＢ、又は、ＵＴＲＡＮのネットワークノードＮｏｄｅＢ＋ＲＮＣを表している。また、無線端末は、アイドル状態の間に、ｅＮＢ／ＲＮＣから指定された周期で測定、ロギングを行い、同様にｅＮＢ／ＲＮＣから通知された期間これを継続するものとする。
【００８２】
予め定められたサービス、例えば通常サービスを受ける（行う）為の帰属（接続）を許可されたセル（ａｌｌｏｗｅｄ  ｃｅｌｌ：「帰属可能なセル」ともいう）のｅＮＢ／ＲＮＣは、アクティブ状態の無線端末（ＵＥ）に対して、アイドル状態でのＬｏｇｇｅｄ  ＭＤＴの実行指示（ＩｄｌｅＭＤＴＣｏｎｆｉｇｕｒａｔｉｏｎ）と、カバレッジホールを検出した時の周辺の通常サービスを受ける為の帰属を許可されていないセル（「帰属不可能なセル」ともいう）の情報の取得の要求（ｎｏｔ  ａｌｌｏｗｅｄ  ｃｅｌｌ  ｉｎｆｏｒｍａｔｉｏｎ  ｒｅｑｕｅｓｔ）を行う（Ｓ０：Ｉｄｌｅ  ＭＤＴ  ｃｏｎｆｉｇｕｒａｔｉｏｎ＋ｎｏｔ  ａｌｌｏｗｅｄ  ｃｅｌｌ  ｉｎｆｏ  ｒｅｑｕｅｓｔ  ａｔ  ｃｏｖｅｒａｇｅ  ｈｏｌｅ）。すなわち、図３における基地局２０の測定指示部２１は、無線端末（ＵＥ）に送信するコンフォギュレーションメッセージにて、Ｌｏｇｇｅｄ  ＭＤＴの実行と、カバレッジホール検出時に、帰属不可能なセルに関連する情報の取得を、無線端末１０に対して要求する。  
【００８３】
ここで、Ｌｏｇｇｅｄ  ＭＤＴの実行指示（Ｉｄｌｅ  ＭＤＴ  Ｃｏｎｆｉｇｕｒａｔｉｏｎ）に含まれる情報としては、例えば以下に挙げるものがある。
・測定、ロギング対象（Ｍｅａｓｕｒｅｍｅｎｔ  ｏｊｂｅｃｔ）、
・測定、ロギング実行のトリガとなるイベント（Ｔｒｉｇｇｅｒｉｎｇ  ｏｆ  ｌｏｇｇｉｎｇ  ｅｖｅｎｔｓ）（周期的な測定、ロギングの場合には周期を指定）、
・測定、ロギング有効期間（Ｔｏｔａｌ  ｄｕｒａｔｉｏｎ  ｏｆ  ｌｏｇｇｉｎｇ）、
・ネットワーク側で記録した絶対時刻（Ｎｅｔｗｏｒｋ  ａｂｓｏｌｕｔｅ  ｔｉｍｅ  ｓｔａｍｐ）、
・測定、ロギング有効エリア（Ｍｅａｓｕｒｅｍｅｎｔ  ａｒｅａ）。
【００８４】
アクティブ状態の無線端末（ＵＥ）１０は、測定指示取得部１１でＬｏｇｇｅｄ  ＭＤＴの実行と、カバレッジホールにおける、帰属不可能なセルに関連する情報の取得の要求を受ける。
【００８５】
無線端末（ＵＥ）は、アイドル状態になると、測定指示取得部１１から出された指示に従い測定実施部１２で測定とロギングを制御する（Ｓ１）。例えば、測定実施部１２では、測定実施判定部１２１が内蔵する所定周期を計測するタイマー（不図示）のタイムアウト発生により、測定時刻（タイミング）になると、測定を行うように測定部１２３に指示する。具体的には、所定周期で、予め定められたサービス、例えば通常サービスを受ける（行う）為の帰属を許可されていて滞在（Ｃａｍｐ）しているサービングセルの下り信号の受信品質測定を行い、測定結果と時刻（Ｒｅｌａｔｉｖｅ  ｔｉｍｅ  ｓｔａｍｐ）と位置情報をロギングする。
【００８６】
無線端末（ＵＥ）で測定結果とともにロギングされる位置情報としては、ＧＰＳ（Ｇｌｏｂａｌ  Ｐｏｓｉｔｉｏｎｉｎｇ  Ｓｙｓｔｅｍ）などのＧＮＳＳ（Ｇｌｏｂａｌ  Ｎａｖｉｇａｔｉｏｎ  Ｓａｔｅｌｌｉｔｅ  Ｓｙｓｔｅｍ）による有効な位置情報を保有している場合には、該ＧＮＳＳ位置情報をロギングし、それ以外の場合には、「ＲＦ  ｆｉｎｇｅｒｐｒｉｎｔ」と呼ばれる隣接セルの測定結果（ＲＳＲＰ／ＣＰＩＣＨ  ＲＳＣＰ＋ＰＣＩ／ＰＳＣ）を代わりにロギングする。なお、隣接セルの測定は、オプションであり、無線端末（ＵＥ）が必要に応じて行い、Ｌｏｇｇｅｄ  ＭＤＴの為だけに行わなくてもよい。また、測定対象となる隣接セルは、通常サービスを受ける（行う）為の帰属を許可されている帰属可能なセルだけでなく、帰属を許可されているか否か不明のセルを含んでもよい。一方、無線端末（ＵＥ）が既に通常サービスを受ける（行う）為の帰属を許可されていないことを認識しているセルについては、通常は測定を行わない。
【００８７】
次に、無線端末（ＵＥ）は、受信品質の測定の結果、カバレッジホールを検出したものとする（Ｓ２：Ｃｏｖｅｒａｇｅ  ｈｏｌｅ  ｄｅｔｅｃｔｉｏｎ）。カバレッジホールは、帰属可能なセルの受信品質等がすべて所定の閾値未満である状況（場所）、及び／又は、報知されるシステム情報を取得できる帰属可能なセルを検出できない状況（場所）に相当する。無線端末（ＵＥ）において、測定実施部１２のカバレッジ問題検出部１２２でカバレッジホールを検出した場合、周辺に帰属を許可されていない帰属不可能なセルが存在するか否かを判定するように測定部１２３に指示する。測定部１２３は、セル検出部１４に指示して該当するセルの検出を行わせ、該検出結果を基に判定する。なお、帰属不可能なセルが存在するか否かは、例えば、当該セルの報知されているシステム情報が取得できるか否かで判定する。一方、無線端末（ＵＥ）が、既に、当該セルが帰属を許可されていないセルであることを認識している場合には、受信品質が所定値以上か否かで判定してもよい。
【００８８】
図３の例の場合、帰属を許可されていない帰属不可能なセルが検出されたものとする（Ｓ３：Ｎｏｔ  ａｌｌｏｗｅｄ  ｃｅｌｌ  ｄｅｔｃｔｉｏｎ）。帰属不可能なセルは、例えば、ｅＮＢ／ＲＮＣが管理するブラックリスト化されたセル（Ｂｌａｃｋ  ｌｉｓｔｅｄ  ｃｅｌｌ）、又は、Ｈ（ｅ）ＮＢが管理するＣＳＧセル等がある。
【００８９】
無線端末（ＵＥ）は、帰属不可能なセルの情報（ＰＣＩ／ＰＳＣ、ＥＣＧＩ／ＣＧＩ、ＣＳＧ  ＩＤ等）をログする（Ｓ４：Ｌｏｇｇｉｎｇ  ｉｎｆｏｒｍａｔｉｏｎ  ｏｎ  ｎｏｔ  ａｌｌｏｗｅｄ  ｃｅｌｌ）。なお、帰属不可能なセルの情報としては、セルの識別子（ＰＣＩ／ＰＳＣ、ＥＣＧＩ／ＣＧＩ、ＣＳＧ  ＩＤなど）、該セルの受信品質（ＲＳＰＲ／ＲＳＣＰ、ＲＳＲＱ／Ｅｃ／Ｎｏなど）等の上述のオプション１、オプション２として記載した項目等が用いられる。さらに、このとき、カバレッジホールであるという情報として“ＯＯＳ”とロギングしてもよい。すなわち、無線端末（ＵＥ）の測定実施部１２において、測定部１２３は、帰属不可能なセルの情報を測定結果保持部１２４に格納する。
【００９０】
アイドル状態の無線端末（ＵＥ）は、カバレッジホールから抜け出した場合、無線端末（ＵＥ）のセル検出部１４で適切なセル（Ｓｕｉｔａｂｌｅ  ｃｅｌｌ）、つまり帰属を許可されたセル（Ａｌｌｏｗｅｄ  ｃｅｌｌ）を検出する（Ｓ５：Ｆｉｎｄ  ｓｕｉｔａｂｌｅ  ｃｅｌｌ）。
【００９１】
ある時刻において、無線端末（ＵＥ）が、アクティブ状態になるトリガがかかったものとする。このとき、無線端末（ＵＥ）において、制御部１５の回線制御部は、帰属を許可されたセルの基地局と無線リンクを確立する（ＲＲＣ  Ｃｏｎｎｅｃｔｉｏｎ  Ｓｅｔｕｐ）。無線端末（ＵＥ）は、Ｌｏｇｇｅｄ  ＭＤＴで取得したログを保有している場合、アクティブ状態となった時点（ＲＲＣ  Ｃｏｎｎｅｃｔｉｏｎ  Ｓｅｔｕｐ  Ｃｏｍｐｌｅｔｅ）でｅＮＢ／ＲＮＣにログを保有していること（Ｌｏｇ  ａｖａｉｌａｂｉｌｉｔｙ）を通知する。この通知を受けた場合、ｅＮＢ／ＲＮＣは、ログを検索（収集）する（Ｓ６：Ｌｏｇ  ｒｅｔｒｉｅｖａｌ）。無線端末（ＵＥ）は、サービングセルの基地局に対して、保有ログ「測定結果＋カバレッジホール検出時の帰属を許可されていないセルの情報」を送信する。サービングセルの基地局の測定結果取得部２２は、無線端末（ＵＥ）からの該保有ログの報告を受信し、測定結果報告部２３が、ＯＡＭに該報告されたログ情報を送信する。
【００９２】
ＯＡＭの測定結果取得部３１は、受け取ったログ情報から、カバレッジホールが帰属を許可されていないセルからの強い干渉によるものだったことを検出する（Ｓ７：Ｄｅｔｅｃｔ  ｃｏｖｅｒａｇｅ  ｈｏｌｅ  ｐｒｏｂｌｅｍ  ｄｕｅ  ｔｏ  ｓｔｒｏｎｇ  ｉｎｔｅｒｆｅｒｅｎｃｅ）。
【００９３】
ＯＡＭの無線パラメータ設定指示部３２は、対象となるセル間の干渉の回避を行うように、例えば、カバレッジホールのエリアを主に管理していると思われるｅＮＢ／ＲＮＣに要求する（Ｓ８：Ｒｅｑｕｅｓｔ  ｆｏｒ  ｐｅｒｆｏｒｍｉｎｇ  ｉｎｔｅｒｆｅｒｅｎｃｅ  ｃｏｏｒｄｉｎａｔｉｏｎ）。
【００９４】
該干渉回避を要求されたｅＮＢ／ＲＮＣでは、無線パラメータ設定変更部２４が、アンテナチルト角、送信電力制御等、セル間干渉の回避対策（干渉緩和対策）を行う（Ｓ９：Ｉｎｔｅｒ−ｃｅｌｌ  ｉｎｔｅｒｆｅｒｅｎｃｅ  ｃｏｏｒｄｉｎａｔｉｏｎ）。なお、図３において、セル間干渉の回避対策は、対象となるセルを管理する両方のｅＮＢ／ＲＮＣにおいて実行される場合、ＯＡＭから要求を受けたｅＮＢ／ＲＮＣのみで実行される場合の両方の可能性がある。
【００９５】
＜実施形態１の変形例＞
図４は、本発明の実施形態１の変形例におけるシステム全体の別の手順を示す図である。ここでは、「第１の条件」として、「無線端末が帰属中のサービングセルの受信品質がセル選択基準を満たさなくなった事」を用いる。図３の実施形態１との違いは、図４では、カバレッジホール検出後に、予め定められたサービス、例えば通常サービスを受ける（行う）為の帰属を許可されていないセルに関する情報をロギングしていたが、図４の変形例では、サービングセルの受信品質が滞在（Ｃａｍｐ）するのに適したセルとしての所定条件（セル選択基準）を満たさなくなったことを検出してから（Ｓ１０：Ｓｅｒｖｉｎｇ  ｃｅｌｌ  ｄｅｇｒａｄａｔｉｏｎ  ｄｅｔｅｃｔｉｏｎ）、カバレッジホールと判定する（Ｓ２：Ｃｏｖｅｒａｇｅ  ｈｏｌｅ  ｄｅｔｅｃｔｉｏｎ）まで、測定及び測定結果のロギング（Ｓ１−２・・・）を継続すると共に、予め定められたサービス、例えば通常サービスを受ける（行う）為の帰属を許可されていないセルを検出し（Ｓ３：Ｎｏｔ  ａｌｌｏｗｅｄ  ｃｅｌｌ  ｄｅｔｅｃｔｉｏｎ）、該帰属を許可されていないセル情報をロギングする点（Ｓ４：Ｌｏｇｇｉｎｇ  ｉｎｆｏｒｍａｔｉｏｎ  ｏｎ  ｎｏｔ  ａｌｌｏｗｅｄ  ｃｅｌｌ）である。該帰属を許可されていないセルの情報をロギング（Ｓ４）した後に、カバレッジホールと判定した後（Ｓ２）、再び適したセルが検出される（Ｓ５：Ｆｉｎｄ  ｓｕｉｔａｂｅｌ  ｃｅｌｌ）まで、測定及びロギングは中断する。なお、手順Ｓ８〜Ｓ９は図３と同一である。アイドル状態の無線端末（ＵＥ）におけるセルの検出には、公知の手法が用いられる。
【００９６】
なお、無線端末（ＵＥ）が測定結果を報告する方法には、
・測定毎に行う方法、
・測定周期とは別の周期で行う方法、
・無線ネットワークから指示されたときに行う方法、
等がある。
【００９７】
イベントトリガの測定では、無線ネットワークが予め測定のトリガとなる条件を無線端末に通知しておき、無線端末は、該条件を満たした場合に測定を行う。トリガ条件としては、例えば
・報知チャネル受信誤り（Ｂｒｏａｄｃａｓｔ  Ｃｈａｎｎｅｌ  Ｆａｉｌｕｒｅ）、
・ページングチャネル受信誤り（Ｐａｇｉｎｇ  Ｃｈａｎｎｅｌ  Ｆａｉｌｕｒｅ）、
・サービングセル（帰属セル）の受信品質が所定閾値よりも劣化（Ｓｅｒｖｉｎｇ  Ｃｅｌｌ  ｂｅｃｏｍｅｓ  ｗｏｒｓｅ  ｔｈａｎ  ｔｈｒｅｓｈｏｌｄ）、
・ランダムアクセスの失敗（Ｒａｎｄｏｍ  ａｃｃｅｓｓ  ｆａｉｌｕｒｅ）、
・無線リンク切断（Ｒａｄｉｏ  ｌｉｎｋ  ｆａｉｌｕｒｅ）
等がある（非特許文献１の６  ＵＥ  ｍｅａｓｕｒｅｍｅｎｔｓ参照）。
【００９８】
なお、報知チャネル（ＢＣＨ）、ページングチャネル（ＰＣＨ）は、基地局がセル内の全ての無線端末に対して共通の無線リソースで送信する共通チャネルであり、それぞれ、制御情報の報知と呼び出しに用いられる。
イベントトリガによる測定結果を無線端末から報告する方法には、
・測定毎に行う方法、
・無線ネットワークから指示されたときに行う方法、
がある。
【００９９】
また、アクティブ状態（Ａｃｔｉｖｅ  ｍｏｄｅ）は、ＬＴＥにおけるＲＲＣ＿ＣＯＮＮＥＣＴＥＤ（Ｒａｄｉｏ  Ｒｅｓｏｕｒｃｅ  Ｃｏｎｔｒｏｌ  Ｃｏｎｅｎｃｔｅｄ）と、ＵＭＴＳにおけるＣＥＬＬ＿ＤＣＨを指示する。ＣＥＬＬ＿ＤＣＨは、上り、下りリンクで専用物理チャネルが無線端末（ＵＥ）に割当てられたＲＲＣ状態であり、無線端末（ＵＥ）と基地局が個別チャネルで接続され、送受信を行う。
【０１００】
Ｌｏｇｇｅｄ  ＭＤＴにおいて、アイドル状態で無線端末（ＵＥ）が測定する内容には、
・帰属セル（Ｓｅｒｖｉｎｇ  ｃｅｌｌ）の下りパイロット信号の受信品質、
・周辺セル（Ｎｅｉｇｈｂｏｕｒｉｎｇ  ｃｅｌｌ）の下りパイロット信号の受信品質、等がある。
【０１０１】
すなわち、無線端末（ＵＥ）は、上記セルの基地局からの下りリファレンス信号（パイロット信号）の受信品質を測定する。なお、ＬＴＥでは、受信品質として、ＲＳＲＰ（Ｒｅｆｅｒｅｎｃｅ  Ｓｉｇｎａｌ  Ｒｅｃｅｉｖｅｄ  Ｐｏｗｅｒ）や、ＲＳＲＱ（Ｒｅｆｅｒｅｎｃｅ  Ｓｉｇｎａｌ  Ｒｅｃｅｉｖｅｄ  Ｑｕａｌｉｔｙ）が用いられる。一方、ＵＭＴＳでは、ＣＰＩＣＨ  ＲＳＣＰ（Ｃｏｍｍｏｎ  Ｐｉｌｏｔ  Ｃｈａｎｎｅｌ  Ｒｅｃｅｉｖｅｄ  Ｓｉｇｎａｌ  Ｃｏｄｅ  Ｐｏｗｅｒ）や、Ｅｃ／Ｎｏ（Ｒａｔｉｏ  ｏｆ  ｅｎｅｒｇｙ  ｐｅｒ  ｍｏｄｕｌａｔｉｎｇ  ｂｉｔ  ｔｏ  ｔｈｅ  ｎｏｉｓｅ  ｓｐｅｃｔｒａｌ  ｄｅｎｓｉｔｙ）が用いられる。
【０１０２】
Ｌｏｇｇｅｄ  ＭＤＴにおいて、無線端末（ＵＥ）が無線ネットワーク側に報告する内容には、
・帰属（サービング）セルの下りパイロット信号の受信品質、
・帰属（サービング）セルの識別子（ＣＧＩ／ＥＣＧＩ：Ｃｅｌｌ  Ｇｌｏｂａｌ  Ｉｄｅｎｔｉｆｉｅｒ／Ｅ−ＵＴＲＡＮ  Ｃｅｌｌ  Ｇｌｏｂａｌ  Ｉｄｅｎｔｉｆｉｅｒ）、
・周辺セルの下りパイロット信号の受信品質、
・周辺セルの識別子（ＰＳＣ／ＰＣＩ：Ｐｒｉｍａｒｙ  Ｓｃｒａｍｂｌｉｎｇ  Ｃｏｄｅ／Ｐｈｙｓｉｃａｌ  Ｃｅｌｌ  Ｉｄｅｎｔｉｆｉｅｒ）、
・測定時刻（無線端末（ＵＥ）が測定指示を受けた際に通知された絶対時刻からの相対時刻）、
・位置情報（測定時に保有していた有効なＧＮＳＳ（Ｇｌｏｂａｌ  Ｎａｖｉｇａｔｉｏｎ  Ｓａｔｅｌｌｉｔｅ  Ｓｙｓｔｅｍ：全地球航法衛星システム）位置情報や、ＲＦ（Ｒａｄｉｏ  Ｆｒｅｑｕｅｎｃｙ）  ｆｉｎｇｅｒｐｒｉｎｔ）
等がある。
【０１０３】
ここで、無線端末での測定時刻が、当該無線端末でのＧＮＳＳ位置情報の取得時刻から予め定められた所定時間以内である場合に、該ＧＮＳＳ位置情報は「有効」であると、無線端末は判定する。無線端末（ＵＥ）が有効なＧＮＳＳ位置情報を保有していない場合には、その位置情報として、ＧＮＳＳ位置情報の代わりに、
ＲＦ  ｆｉｎｇｅｒｐｒｉｎｔ（ＰＣＩ／ＰＳＣ＋ＲＳＲＰ／ＣＰＩＣＨ  ＲＳＣＰ：周辺セルの物理セル特定情報＋周辺セルの下りパイロット信号の受信品質）を報告する。
周辺セルの物理セル特定情報は、無線端末（ＵＥ）が取得した周辺セルの物理セルＩＤ（ＰＣＩ：Ｐｈｙｓｉｃａｌ  Ｃｅｌｌ  Ｉｄｅｎｔｉｆｉｅｒ）、又は、各セルを識別するためのプライマリ・スクランブル・コード（ＰＳＣ：Ｐｒｉｍａｒｙ  Ｓｃｒａｍｂｌｉｎｇ  Ｃｏｄｅ）を含む。周辺セルの下りパイロット信号の受信品質は、ＲＳＲＰ／ＣＰＩＣＨ  ＲＳＣＰである。
【０１０４】
＜実施形態２＞
図５は、本発明の第２の実施形態のシステムの無線端末（ＵＥ）におけるＬｏｇｇｅｄ  ＭＤＴ  ｍｅａｓｕｒｅｍｅｎｔの動作を示す流れ図（フローチャート）である。本実施形態では、無線端末（ＵＥ）は、カバレッジホール検出時に、周辺に非会員（ｎｏｎ−ｍｅｍｂｅｒ）ＣＳＧセルなどの予め定められたサービス、例えば通常サービスを受ける（行う）為の帰属を許可されていない帰属不可能なセルを検出した場合、ｎｏｎ−ｍｅｍｂｅｒ  ＣＳＧセルの受信品質の測定、ロギングを行うものとする。
【０１０５】
無線端末（ＵＥ）が、アクティブ状態のとき、ｅＮＢ／ＲＮＣからのＬｏｇｇｅｄ  ＭＤＴのコンフィギュレーションメッセージ（Ｉｄｌｅ  ＭＤＴ  Ｃｏｎｆｉｇｕｒａｔｉｏｎ）を受け、Ｌｏｇｇｅｄ  ＭＤＴの設定を行う（ステップＳ１０１）。
【０１０６】
無線端末（ＵＥ）がアイドル状態となると（ステップＳ１０２のＹ）、Ｌｏｇｇｅｄ  ＭＤＴを開始する（ステップＳ１０３）。無線端末（ＵＥ）は、帰属（サービング）セルの下りパイロット信号の受信品質を測定する。さらに、必要に応じて、隣接セルの下りパイロット信号の受信品質等を測定する。
【０１０７】
サービングセルの受信品質測定の結果、サービングセルの受信品質が所定値よりも劣化している場合（ステップＳ１０４のＹ分岐）、無線端末（ＵＥ）は、周辺に、滞在（Ｃａｍｐ）するのに、より適切なセル（ｓｕｉｔａｂｌｅ  ｃｅｌｌ）がないかどうか隣接セルサーチ（Ｎｅｉｇｈｂｏｕｒ  ｃｅｌｌ  ｓｅａｒｃｈ）を行う（ステップＳ１０５）。
【０１０８】
隣接セルサーチの結果、適切なセルが存在する場合（ステップＳ１０６のＹ）、サービングセルの再選択（Ｃｅｌｌ  ｒｅｓｅｌｅｃｔｉｏｎ）を行う（ステップＳ１０７）。その後、Ｌｏｇｇｅｄ  ＭＤＴの測定時刻（タイミング）となると（ステップＳ１０８のＹ）、無線端末（ＵＥ）は、サービングセルの測定を行い、測定結果をロギングする（Ｓ１０９）。このとき、必要に応じて隣接セルの測定を行い、測定結果をロギングしてもよい。なお、測定結果と共に、時刻情報と位置情報もロギングするが、位置情報としては、有効なＧＮＳＳ位置情報を保有している場合には該ＧＮＳＳ位置情報を、保有していない場合にはＲＦ  ｆｉｎｇｅｒｐｒｉｎｔをロギングする。
【０１０９】
次に、無線端末（ＵＥ）がアイドル状態からアクティブ状態となると（ステップＳ１１０のＹ）、Ｌｏｇｇｅｄ  ＭＤＴ  ｍｅａｓｕｒｅｍｅｎｔを終了し、無線ネットワークからの指示に従い保有しているログを報告する。一方、アイドル状態を継続する場合（ステップＳ１１０のＮ）、ステップＳ１０４に戻る。
【０１１０】
ステップＳ１０５の隣接セルサーチの結果、所定期間に適切なセルが検出できない場合（ステップＳ１０６のＮ）、カバレッジホールを検出する（ステップＳ１１１）。ここで、所定期間としては、無線端末（ＵＥ）が、“Ｃａｍｐｅｄ  ｎｏｒｍａｌｌｙ”  ｓｔａｔｅに滞在している間、などが考えられる。しかし、これに限定はされず、“Ａｎｙ  ｃｅｌｌ  ｓｅｌｅｃｔｉｏｎ”  ｓｔａｔｅの間でも、“Ｃａｍｐｅｄ  ｏｎ  ａｎｙ  ｃｅｌｌ”  ｓｔａｔｅの間でも良い。
【０１１１】
続いて、無線端末（ＵＥ）は、測定時刻（タイミング）であるか否か判定し（ステップＳ１１２）、測定時刻でなければ（ステップＳ１１２のＮ）、ステップＳ１０５に移り、測定時刻であれば（ステップＳ１１２のＹ）、 オプションとして“ＯＯＳ”（圏外）とロギングする（ステップＳ１１３）。そして、帰属不可能な（ｎｏｔ  ａｌｌｏｗｅｄ  ｃｅｌｌ）が周辺に存在するか否かを判定する為に、該セルを検出できるか試みる（Ｓ１１４）。
【０１１２】
帰属不可能なセル（ｎｏｔ  ａｌｌｏｗｅｄ  ｃｅｌｌ）が検出された場合（ステップＳ１１４のＹ)、該帰属不可能なセル（ｎｏｔ  ａｌｌｏｗｅｄ  ｃｅｌｌ）の測定とロギングを行う（ステップ１１５）。そして、再び周辺に適したセルがないかどうか隣接セルサーチを行う（ステップ１０５）。
【０１１３】
図６は、本発明の第２の実施形態のシステムのシーケンスを説明する図である。図６を参照すると、マクロセル（Ｍａｃｒｏ  ｃｅｌｌ）のｅＮＢ／ＲＮＣは、アクティブ状態の無線端末（ＵＥ）に、アイドル状態でのＬｏｇｇｅｄ  ＭＤＴのコンフィギュレーション（Ｉｄｌｅ  ＭＤＴ  Ｃｏｎｆｉｇｕｒａｔｉｏｎ）と、カバレッジホール検出時に、周辺に非メンバー（ｎｏｎ−ｍｅｍｂｅｒ）ＣＳＧセルがあった場合の該ＣＳＧセルの測定とロギングの要求（ＣＨ  ｍｅａｓｕｒｅｍｅｎｔ  ａｎｄ  ｌｏｇｇｉｎｇ  ｃｏｎｆｉｇｕｒａｔｉｏｎ）を行う（Ｓ１１：Ｉｄｌｅ  ＭＤＴ  ｃｏｎｆｉｇｕｒａｔｉｏｎ＋ＣＨ  ｍｅａｓ＆ｌｏｇｇｉｎｇ  ｃｏｎｆｉｇｕｒａｔｉｏｎ）。前述した要求は、カバレッジホール（Ｃｏｖｅｒａｇｅ  ｈｏｌｅ：ＣＨ）検出時にｎｏｎ−ｍｅｍｂｅｒ  ＣＳＧセルがもし無線端末（ＵＥ）の周辺にあった場合、その測定及びロギングを指示するものである。
【０１１４】
無線端末（ＵＥ）がアイドル状態になると、該無線端末（ＵＥ）は、所定タイミングで帰属（サービング）セルであるマクロセルの測定とロギングを周期的に行う（Ｓ１２−１、Ｓ１２−２・・・）。隣接セルについても、必要に応じて測定とロギングを行っても良い。
【０１１５】
無線端末（ＵＥ）は、サービングセルの受信品質の劣化を検出すると（Ｓ１３：Ｓｅｒｖｉｎｇ  ｃｅｌｌ  ｄｅｇｒａｄａｔｉｏｎ  ｄｅｔｅｃｔｉｏｎ）、周辺に、より適したセルがないか否かセル検出を試みる。
【０１１６】
図６では、無線端末（ＵＥ）が、ＣＳＧセル（ｎｏｎ−ｍｅｍｂｅｒ）（基地局はＨｅＮＢ／ＨＮＢ）を検出した場合を示している（Ｓ１４：ＣＳＧ  ｃｅｌｌ  （ｎｏｎ−ｍｅｍｂｅｒ）ｄｅｔｅｃｔｉｏｎ）。無線端末（ＵＥ）は、サービングマクロセルの品質が劣化し、周辺に、品質の良いＣＳＧセルを検出したが、帰属を許可されていないセルである為に、セル再選択は行わず、他に適したセルがないか確認する。
【０１１７】
その後、無線端末（ＵＥ）は、カバレッジホール（ＣＨ）を検出する（Ｓ１５）。このとき、カバレッジホールを検出した事を示す情報として“ＯＯＳ”とロギングしてもよい。
【０１１８】
無線端末（ＵＥ）はカバレッジホール（ＣＨ）を検出後、もし周辺にｎｏｎ−ｍｅｍｂｅｒ  ＣＳＧセルなどの帰属不可能なセルが存在すれば、該帰属不可能なセルの測定とロギングを行う（Ｓ１６）。帰属不可能なセルが存在するか否かは、該セルの受信品質が基本サービスを行う為に必要な所定値以上であるか否か、又は、該セルの報知されているシステム情報が取得できるか否か、などで判定する方法がある。
【０１１９】
その後、無線端末（ＵＥ）は、適切なセル（マクロセル）を検出したものとする（Ｓ１７:Ｆｉｎｄ  ｓｕｉｔａｂｌｅ  ｃｅｌｌ）。
【０１２０】
無線端末（ＵＥ）は、再び所定の測定時刻（タイミング）において、該マクロセルの測定及びロギングを行う（Ｓ１８）。
【０１２１】
無線端末（ＵＥ）は、マクロセルのｅＮＢ／ＲＮＣと無線リンクを確立してアクティブ状態となった場合、ログを保有している事（Ｌｏｇ  ａｖａｉｌａｂｉｌｉｔｙ）をｅＮＢ／ＲＮＣに通知し、ｅＮＢ／ＲＮＣからの該ログの検索(収集)指示（Ｌｏｇ  ｒｅｔｒｉｅｖａｌ）に従い、ｅＮＢ／ＲＮＣに該ログを報告する（Ｓ１９）。
【０１２２】
図７は、本発明の第２の実施形態におけるログの例を説明する図である。図７（Ａ）は、図７（Ｂ）の各測定タイミングにおけるＬｏｇｇｅｄ  ＭＤＴのログ情報の一例を示している（なお、本例ではＬＴＥを想定する）。無線端末（ＵＥ）は、アイドル状態で測定、ロギングを周期的に行う。なお、ＥＣＧＩ＃２００／ＰＣＩ＃２０のセルは、この無線端末（ＵＥ）にとっては非会員（ｎｏｎ−ｍｅｍｂｅｒ）ＣＳＧセルであり、帰属不可とする。
【０１２３】
また、本実施形態では、無線端末（ＵＥ）は、カバレッジホール検出時に、周辺にｎｏｎ−ｍｅｍｂｅｒ  ＣＳＧセルを検出した場合、ｎｏｎ−ｍｅｍｂｅｒ  ＣＳＧセルのＲＳＲＰと、そのセルＩＤをログするものとする。
【０１２４】
図７（Ｂ）に示すように、Ｌｏｇｇｅｄ  ＭＤＴの周期的な実行の指示を受けた無線端末（ＵＥ）は、アイドル状態となり、セル（ＥＣＧＩ＃１１／ＰＣＩ＃１）に滞在している。
【０１２５】
時刻ｔ＝ｔ０で、無線端末（ＵＥ）は、帰属（サービング）セル（ＥＣＧＩ＃１１）と隣接セル（ＰＣＩ＃２）の測定とロギングを行う。測定は、サービングセル（ＥＣＧＩ＃１１）では、ＲＳＲＰ／ＲＳＲＱ、隣接セル（ＰＣＩ＃２）ではＲＳＲＰを仮定している。しかし、隣接セル（ＰＣＩ＃２）についてもＲＳＲＱを測定しても良い。
【０１２６】
時刻ｔ＝ｔ１で、無線端末（ＵＥ）はサービングセルの受信品質が劣化し、周辺に帰属可能なセルを見つけられず、カバレッジホールを検出し、“ＯＯＳ”とログする。なお、“ＯＯＳ”はオプション扱いとして、必ずしもログしなくても良い。周辺に検出したｎｏｎ−ｍｅｍｂｅｒ  ＣＳＧセル（ＥＣＧＩ＃２００／ＰＣＩ＃２０）については、ＲＳＲＰの測定結果をログしている。
【０１２７】
カバレッジホールを抜け出した無線端末（ＵＥ）は、時刻ｔ＝ｔ２で、サービングセル（ＥＣＧＩ＃１１）、隣接セル（ＰＣＩ＃２）の測定とロギングを行う。
【０１２８】
本実施形態によれば、ＯＡＭは、無線端末（ＵＥ）がカバレッジホール検出時にロギングした測定結果から、該カバレッジホールがｎｏｎ−ｍｅｍｂｅｒ  ＣＳＧセルの干渉によるものであると判断することができる。
【０１２９】
本実施形態においては、カバレッジホールを検出した無線端末（ＵＥ）において、周辺に、
・適切なセル（帰属可能なセル）が存在せず、且つ、
・帰属不可能なセルが存在しない場合、
“ＯＯＳ”をログする。なお、“ＯＯＳ”のロギングは必須ではない。
【０１３０】
一方、カバレッジホールを検出した無線端末（ＵＥ）において、周辺に、
・適切なセル（帰属可能なマクロセル）が存在せず、且つ、
・帰属不可能なセルが存在する場合、
“ＯＯＳ”と、検出された帰属不可能なセルの情報をログする。帰属不可能なセルの情報は、測定結果（ＲＳＲＰ／ＲＳＣＰ）、ＰＣＩ／ＰＳＣ、等が考えられる。また、“ＯＯＳ”のロギングは必須ではない。
【０１３１】
＜実施形態２の変形例１＞
図８は、本発明の第２の実施形態の変形例１のシステムの無線端末（ＵＥ）におけるＬｏｇｇｅｄ  ＭＤＴ  ｍｅａｓｕｒｅｍｅｎｔの動作を示す流れ図（フローチャート）である。図９は、本発明の第２の実施形態の変形例１のシステムのシーケンスを示す図である。図５及び図６を参照して説明した前記第２の実施形態との違いは、図５及び図６では、カバレッジホール検出後に、予め定められたサービス、例えば通常サービスを受ける（行う）為の帰属を許可されていない帰属不可能なセルの測定、ロギングをしていた（図５のステップＳ１１５、図６のＳ１６）が、図８及び図９の変形例１では、サービングセルの受信品質が滞在（Ｃａｍｐ）するのに適したセルとしての所定条件（セル選択基準）を満たさなくなったことを検出してから、カバレッジホールと判定するまで間（図９のＳ１３からＳ１５の破線矢印の期間）、(旧)サービングセルや隣接セルの測定及び測定結果のロギングを継続する（図８のステップＳ１１６）とともに、もし、帰属不可能なセルが検出されれば（図８のステップＳ１１４のＹ、図９のＳ１４：ＣＳＧ（ｎｏｎ−ｍｅｍｂｅｒ）  ｄｅｔｅｃｔｉｏｎ）、帰属不可能なセル（図９のＣＳＧ  ｃｅｌｌ（ｎｏｎ−ｍｅｍｂｅｒ））の測定及び測定結果のロギングを行う（図８のステップＳ１１５、図９のＳ２０）点である。カバレッジホールと判定した後（図８のステップＳ１１７のＹ、図９のＳ１５）は、再び適したセルが検出される（図８のステップＳ１０６のＹ、図９のＳ１７）まで測定、ロギングは中断する。
【０１３２】
＜実施形態２の変形例２＞
図１０は、本発明の第２の実施形態の変形例２のシーケンス動作を説明する図である。図７の第２の実施形態との違いは、周辺にある帰属不可能なセルがｎｏｎ−ｍｅｍｂｅｒ  ＣＳＧセルではなく、ブラックリストセル（Ｂｌａｃｋ  ｌｉｓｔｅｄ  ｃｅｌｌ）ということである。
【０１３３】
図１０を参照すると、ｅＮＢ／ＲＮＣは、アクティブ状態の無線端末（ＵＥ）に、アイドル状態でのＬｏｇｇｅｄ  ＭＤＴのコンフィギュレーション（Ｉｄｌｅ  ＭＤＴ  Ｃｏｎｆｉｇｕｒａｔｉｏｎ）と、カバレッジホール（ＣＨ）検出時に、もしブラックリストセルが周辺にあった場合、その測定とロギングを要求する（ＣＨ  ｍｅａｓｕｒｅｍｅｎｔ  ａｎｄ  ｌｏｇｇｉｎｇ  ｃｏｎｆｉｇｕｒａｔｉｏｎ）（Ｓ２１：Ｉｄｌｅ  ＭＤＴ  ｃｏｎｆｉｇｕｒａｔｉｏｎ＋ＣＨ  ｍｅａｓ＆ｌｏｇｇｉｎｇ  ｃｏｎｆｉｇｕｒａｔｉｏｎ）。
【０１３４】
無線端末（ＵＥ）がアイドル状態になると、無線端末（ＵＥ）は所定タイミングで測定とロギングを周期的に行う（Ｓ２２−１、Ｓ２２−２・・・）。
【０１３５】
ある時点で、無線端末（ＵＥ）は、帰属セルの受信品質の劣化を検出したものとする（Ｓ２３：Ｓｅｒｖｉｎｇ  ｃｅｌｌ  ｄｅｇｒａｄａｔｉｏｎ  ｄｅｔｅｃｔｉｏｎ）。
【０１３６】
無線端末（ＵＥ）は、所定期間に周辺に帰属可能なセルを検出できない場合、無線端末（ＵＥ）はカバレッジホール（ＣＨ）を検出する。（Ｓ２４：Ｃｏｖｅｒａｇｅ  ｈｏｌｅ  ｄｅｔｅｃｔｉｏｎ）。このとき、“ＯＯＳ”をログしても良い。
【０１３７】
無線端末（ＵＥ）は、カバレッジホール検出後、周辺にブラックリストセル（Ｂｌａｃｋ  ｌｉｓｔｅｄ  ｃｅｌｌ）があるか否か検出を試みる。本実施例では、ブラックリストセルが検出されたものとする（Ｓ２５：Ｄｅｔｅｃｔ  ｂｌａｃｋ  ｌｉｓｔｅｄ  ｃｅｌｌ）。
【０１３８】
カバレッジホール検出時に、周辺にブラックリストセルがあれば、無線端末（ＵＥ）は、該ブラックリストセルの測定とロギングを行う（Ｓ２６）。
【０１３９】
その後、無線端末（ＵＥ）は、適切なセル（例えば、マクロセル）を検出する（Ｓ２７：Ｆｉｎｄ  ｓｕｉｔａｂｌｅ  ｃｅｌｌ）。
【０１４０】
無線端末（ＵＥ）は、当該適切なセル、つまりサービングセルと隣接セルの測定及びロギングを行う（Ｓ２８）。
【０１４１】
無線端末（ＵＥ）は、サービングマクロセルのｅＮＢ／ＲＮＣと無線リンクを確立してアクティブ状態となり、ｅＮＢ／ＲＮＣに測定結果を報告する（Ｌｏｇ  ｒｅｔｒｉｅｖａｌ）（Ｓ２９）。
【０１４２】
本実施形態によれば、ＯＡＭは、無線端末（ＵＥ）でカバレッジホール検出時に、該カバレッジホールが、ブラックリストセル（Ｂｌａｃｋ  ｌｉｓｔｅｄ  ｃｅｌｌ）の干渉によるもの、或いは、ブラックリストの設定不備によるもの（該セルはブラックリストから外すべき）であるか、マクロセルのカバレッジ問題かを判断することができる。
【０１４３】
＜実施形態３＞
図１１は、本発明の第３の実施形態のシステムの無線端末（ＵＥ）におけるＬｏｇｇｅｄ  ＭＤＴ  ｍｅａｓｕｒｅｍｅｎｔの動作を説明する流れ図である。本実施形態では、無線端末（ＵＥ）は、カバレッジホール検出時に、周辺にｎｏｎ−ｍｅｍｂｅｒ  ＣＳＧセルなどの予め定められたサービス、例えば通常サービスを受ける（行う）為の帰属を許可されていない帰属不可能なセルを検出した場合、帰属不可能なセルに関連する周辺情報のロギングを行うものとする。帰属不可能なセルに関連する周辺情報とは、帰属不可能なセルに関する情報だけを含むものではなく、予め定められたサービス、例えば通常サービスを受ける（行う）為の帰属を許可されている帰属可能なセルに関する情報も含み得るものである。
【０１４４】
図１１を参照すると、無線端末（ＵＥ）がアクティブ状態のとき、ｅＮＢ／ＲＮＣからのＬｏｇｇｅｄ  ＭＤＴのコンフィギュレーションメッセージ（Ｉｄｌｅ  ＭＤＴ  Ｃｏｎｆｉｇｕｒａｔｉｏｎ）を受け、Ｌｏｇｇｅｄ  ＭＤＴの設定を行う（ステップＳ１０１）。
【０１４５】
無線端末（ＵＥ）はアクティブ状態からアイドル状態となると（ステップＳ１０２のＹ）、Ｌｏｇｇｅｄ  ＭＤＴを開始する（ステップＳ１０３）。
【０１４６】
帰属（サービング）セルの受信品質が劣化している場合（ステップＳ１０４のＹ分岐）、無線端末（ＵＥ）は、隣接セルサーチを行う（ステップＳ１０５）。
【０１４７】
隣接セルサーチの結果、より適切なセル（Ｓｕｉｔａｂｌｅ  ｃｅｌｌ）が存在する場合（ステップＳ２０６のＹ）、無線端末（ＵＥ）は、サービングセルの再選択（Ｃｅｌｌ  ｒｅｓｅｌｅｃｔｉｏｎ）を行う（ステップＳ１０７）。アイドル状態で、Ｌｏｇｇｅｄ  ＭＤＴの測定時刻（タイミング）となると（ステップＳ１０８のＹ）、無線端末（ＵＥ）は、サービングセルの測定を行い、測定データをログする（Ｓ１０９）。このとき、必要に応じて隣接セルの測定を行い、測定結果をロギングしてもよい。なお、測定結果と共に、時刻情報と位置情報もロギングするが、位置情報としては、有効なＧＮＳＳ位置情報を保有している場合には該ＧＮＳＳ位置情報を、保有していない場合にはＲＦ  ｆｉｎｇｅｒｐｒｉｎｔをロギングする。
【０１４８】
無線端末（ＵＥ）が、マクロセルのｅＮＢ／ＲＮＣと無線リンクを確立し、アイドル状態からアクティブ状態となると（ステップＳ１１０のＹ）、Ｌｏｇｇｅｄ  ＭＤＴ  ｍｅａｓｕｒｅｍｅｎｔを終了し、アイドル状態を継続する場合には（ステップＳ１１０のＮ）、ステップＳ１０４に戻る。
【０１４９】
無線端末（ＵＥ）において、隣接セルサーチ（ステップＳ１０５）の結果、所定期間に適切なセルが検出できない場合（ステップＳ１０６のＮ）、カバレッジホールを検出し（ステップＳ１１１）、測定時刻でなければ（ステップＳ１１２のＮ）、ステップＳ１０５に移る。一方、測定時刻であれば（ステップＳ１１２のＹ）、無線端末（ＵＥ）は、“ＯＯＳ”（圏外）をロギングする（ステップＳ１１３）。ここで、“ＯＯＳ”のロギングは必須ではなく、“ＯＯＳ”をロギングしなくても良い。
【０１５０】
そして、帰属不可能なセル（ｎｏｔ  ａｌｌｏｗｅｄ  ｃｅｌｌ）が検出できるか試みる（ステップＳ１１８：Ｔｒｙ  ｔｏ  ｄｅｔｅｃｔ  ｎｏｔ  ａｌｌｏｗｅｄ  ｃｅｌｌ）。ステップＳ１１８の結果、帰属不可能なセル（ｎｏｔ  ａｌｌｏｗｅｄ  ｃｅｌｌ）が検出された場合(ステップＳ１１４のＹ)、無線端末（ＵＥ）は、該帰属不可能なセルに関する周辺情報のロギングを行う（ステップＳ１１９）。  
【０１５１】
図１１のステップＳ１１９においてロギングされる帰属不可能なセルに関連する周辺情報としては、例えば以下が挙げられる。
【０１５２】
（Ａ）帰属不可能なセルの有無。
帰属不可能なセルが存在する場合、該セルの情報（ＰＣＩ／ＰＳＣ、及び／又は、ＥＣＧＩ／ＣＧＩ、他）も含む。
【０１５３】
（Ｂ）下りパイロット信号の受信強度（ＲＳＲＰ／ＲＳＣＰ）は、予め定められた所定値以上であるが、報知情報を取得することが不可であるセルの有無。該当するセルが存在する（“有”の）場合、該セルの情報（ＲＳＲＰ／ＲＳＣＰ、ＰＣＩ／ＰＳＣ、ＥＣＧＩ／ＣＧＩ、他）も含む。
【０１５４】
（Ｃ）下りパイロット信号の受信品質（ＲＳＲＱ／Ｅｃ／Ｎｏ）が最大であるセルが帰属可能なセル（又は、直前の帰属セル（ｓｅｒｖｉｎｇ  ｃｅｌｌ）あるいは隣接セルリスト（ＮＣＬ）の隣接セルに該当する）か否かの情報。又は、反対に、下りパイロット信号の受信品質（ＲＳＲＱ／Ｅｃ／Ｎｏ）が最大であるセルが帰属不可能なセルか否かの情報。
【０１５５】
図１２は、本発明の実施形態３のシステムのシーケンスを説明する図である。
【０１５６】
図１２を参照すると、マクロセルのｅＮＢ／ＲＮＣは、アクティブ状態の無線端末（ＵＥ）に対して、アイドル状態でのＬｏｇｇｅｄ  ＭＤＴのコンフィギュレーション（Ｉｄｌｅ  ＭＤＴ  Ｃｏｎｆｉｇｕｒａｔｉｏｎ）とカバレッジホール（ＣＨ）検出時における、帰属不可能なセルに関連する周辺情報のロギングの要求（ＣＨ  ｌｏｇｇｉｎｇ  ｃｏｎｆｉｇｕｒａｔｉｏｎ）を行う（Ｓ３１：Ｉｄｌｅ  ＭＤＴ  ｃｏｎｆｉｇｕｒａｔｉｏｎ＋ＣＨ  ｌｏｇｇｉｎｇ  ｃｏｎｆｉｇｕｒａｔｉｏｎ）。
【０１５７】
無線端末（ＵＥ）がアイドル状態になると、所定タイミングで帰属（サービング）セルであるマクロセルの測定とロギングを周期的に行う（Ｓ３２−１、Ｓ３２−２、・・・）。
【０１５８】
無線端末（ＵＥ）は、サービングセルの受信品質の劣化を検出すると（Ｓ３３：Ｓｅｒｖｉｎｇ  ｃｅｌｌ  ｄｅｇｒａｄａｔｉｏｎ  ｄｅｔｅｃｔｉｏｎ）、周辺に、より適した（つまり受信品質の良い）セルがないか否かを確認する。この結果、もし、ｎｏｎ−ｍｅｍｂｅｒ  ＣＳＧセル等の帰属不可能なセルを検出しても（Ｓ３４：ＣＳＧ  ｃｅｌｌ  （ｎｏｎ−ｍｅｍｂｅｒ）ｄｅｔｅｃｔｉｏｎ）、該帰属不可能なセルへのセル再選択は行わない。
【０１５９】
無線端末（ＵＥ）は、カバレッジホール（ＣＨ）を検出した場合、周辺情報をロギングする（Ｓ３５：Ｃｏｖｅｒａｇｅ  ｈｏｌｅ  ｄｅｔｅｃｔｉｏｎ＋ｎｅｉｇｈｂｏｕｒ  ｉｎｆｏ  ｌｏｇｇｉｎｇ）。このとき、“ＯＯＳ”をログしても良い。周辺情報としては、例えば、カバレッジホール（ＣＨ）を検出後、もし周辺に帰属不可能なセル（例えばｎｏｎ−ｍｅｍｂｅｒ  ＣＳＧセル）等があれば、「帰属不可能なセル有」の情報をログする。
【０１６０】
その後、無線端末（ＵＥ）は、カバレッジホールから抜けだし、適切なセル（マクロセル）を検出したとする（Ｓ３６：Ｆｉｎｄ  ｓｕｉｔａｂｌｅ  ｃｅｌｌ）。
【０１６１】
無線端末（ＵＥ）は、再び所定の測定タイミングにおいて、サービングセルであるマクロセルの測定及びロギングを行う（Ｓ３７）。
【０１６２】
無線端末（ＵＥ）はマクロセルのｅＮＢ／ＲＮＣと無線リンクを確立して、アクティブ状態となり、ログを保有している事（Ｌｏｇ  ａｖａｉｌａｂｉｌｉｔｙ）をｅＮＢ／ＲＮＣ通知し、ｅＮＢ／ＲＮＣからの該ログの検索（収集）指示（Ｌｏｇ  ｒｅｔｒｉｅｖａｌ）に従い、ｅＮＢ／ＲＮＣに該ログを報告する（Ｓ３８）。
【０１６３】
本実施形態によれば、ＯＡＭは、無線端末（ＵＥ）がカバレッジホール検出時、該カバレッジホールの周辺状況、特に帰属不可能なセルの存在の有無などを認識することができる。この情報の活用法としては、例えば、もし帰属不可能なセルの存在が報告された場合、該帰属不可能なセルの干渉が原因であると判定し、カバレッジ最適化ではなく、干渉回避（低減）技術の適用をｅＮＢ／ＲＮＣに指示することが考えられる。
【０１６４】
図１３は、本発明の第３の実施形態におけるログの例を説明する図である。図１３（Ａ）は、図１３（Ｂ）の各測定タイミングにおけるＬｏｇｇｅｄ  ＭＤＴのログ情報の一例を示す（なお、ＬＴＥを想定する）。無線端末（ＵＥ）は、アイドル状態で、測定、ロギングを周期的に行う。なお、ＥＣＧＩ＃２００／ＰＣＩ＃２０のセルは、この無線端末（ＵＥ）にとっては非会員（ｎｏｎ−ｍｅｍｂｅｒ）ＣＳＧセルで帰属不可とする。
【０１６５】
図１３（Ｂ）において、Ｌｏｇｇｅｄ  ＭＤＴの周期的な実行の指示を受けた無線端末（ＵＥ）は、アイドル状態となり、セル（ＥＣＧＩ＃１１／ＰＣＩ＃１）に滞在している。
【０１６６】
時刻ｔ＝ｔ０で、無線端末（ＵＥ）は、帰属（サービング）セル（ＥＣＧＩ＃１１／ＰＣＩ＃１）、隣接セル（ＰＣＩ＃２）の測定とロギングを行う。測定結果は、サービングセル（ＥＣＧＩ＃１１）では、ＲＳＲＰ／ＲＳＲＱ、隣接セル（ＰＣＩ＃２）ではＲＳＲＰを仮定している。しかし、隣接セル（ＰＣＩ＃２）についてもＲＳＲＱを測定しても良い。
【０１６７】
時刻ｔ＝ｔ１で、サービングセルの受信品質が劣化し、周辺に帰属可能なセルを見つけられず、カバレッジホールを検出し、“ＯＯＳ”をロギングする。なお、“ＯＯＳ”はオプション扱いとして、必ずしもログしなくても良い。このとき、無線端末（ＵＥ）は、帰属不可能なセルに関連する周辺情報をロギングする。ロギングされる周辺情報として、例えば、
・周辺の帰属不可能なセルの有無（“有”の場合、ｎｏｎ−ｍｅｍｂｅｒ  ＣＳＧセルのＩＤ（ＰＣＩ＃２０  及び／又は  ＥＣＧＩ＃２００）をロギングする）、
・下りパイロット信号の受信強度（ＲＳＲＰ／ＲＳＣＰ）は、予め定められた所定値以上であるが報知情報を取得することが不可であるセルの有無、
・下りパイロット信号の受信品質（ＲＳＲＱ／Ｅｃ／Ｎｏ）が最大であるセルが帰属可能なセル（又は、直前のサービングセルあるいは隣接セルリスト（ＮＣＬ）の隣接セルに該当する）か否かの情報（又は、反対に、下りパイロット信号の受信品質（ＲＳＲＱ／Ｅｃ／Ｎｏ）が最大であるセルが帰属不可能なセルか否かの情報）、
等が挙げられる。
【０１６８】
無線端末（ＵＥ）は、カバレッジホールから移動し、時刻ｔ＝ｔ２で、無線端末（ＵＥ）は、サービングセル（ＥＣＧＩ＃１１）、隣接セル（ＰＣＩ＃２）の測定とロギングを行う。
【０１６９】
本実施形態によれば、ＯＡＭは、無線端末（ＵＥ）がカバレッジホール検出時、該カバレッジホールの周辺情報（帰属不可能なセルの存在の有無など）を把握することができ、これを基に（例えばマクロセルの）カバレッジ最適化を行うか、マクロセルとＣＳＧセルの干渉回避（低減）技術を適用するかを判断して、実行する
【０１７０】
＜実施形態３の変形例１＞
図１１、図１２を参照して説明した前記第３の実施形態では、カバレッジホール検出後に、予め定められたサービス、例えば通常サービスを受ける（行う）為の帰属を許可されていない帰属不可能なセルに関する情報をロギングしていたが、第３の実施形態の変形例１では、サービングセルの受信品質が滞在（Ｃａｍｐ）するのに適したセルとしての所定条件（セル選択基準）を満たさなくなったことを検出してから、カバレッジホールと判定するまでの期間、（旧）サービングセルや隣接セルの測定及び測定結果のロギングを継続すると共に、帰属を許可されていない帰属不可能なセルに関連する周辺情報をロギングする点である。
【０１７１】
すなわち、この変形例１では、図１２のＳ３３（Ｓｅｒｖｉｎｇ  ｃｅｌｌ  ｄｅｇｒａｄａｔｉｏｎ  ｄｅｔｅｃｔｉｏｎ）と、Ｓ３５のカバレッジホール検出（Ｃｏｖｅｒａｇｅ  ｈｏｌｅ  ｄｅｔｅｃｔｉｏｎ）の間に、サービングセルや隣接セルの測定及び測定結果のロギング、帰属不可能なセルに関連する周辺情報（例えば図１２のＣＳＧ  ｃｅｌｌ情報）のロギング（ｎｅｉｇｈｂｏｒ  ｉｎｆｏｒｍａｔｉｏｎ  ｌｏｇｇｉｎｇ）が挿入される。なお、この変形例１において、図１２のＳ３５の「Ｃｏｖｅｒａｇｅ  ｈｏｌｅ  ｄｅｔｅｃｔｉｏｎ＋ｎｅｉｇｈｂｏｒ  ｉｎｆｏｒ  ｌｏｇｇｉｎｇ」は、カバレッジホール検出（Ｃｏｖｅｒａｇｅ  ｈｏｌｅ  ｄｅｔｅｃｔｉｏｎ）となる。そして、この変形例１では、カバレッジホールと判定した後（図１２のＳ３５以降）は、再び適したセルが検出されるまで測定、ロギングは中断する。
【０１７２】
＜実施形態３の変形例２＞
図１４は、本発明の実施形態３の変形例２のシステムのシーケンス動作を説明する図である。図１２を参照して説明した前記第３の実施形態との相違点は、周辺にある帰属不可能なセルがｎｏｎ−ｍｅｍｂｅｒ  ＣＳＧセルではなく、ブラックリストセル（Ｂｌａｃｋ  ｌｉｓｔｅｄ  ｃｅｌｌ）であるということである。
【０１７３】
図１４を参照すると、ｅＮＢ／ＲＮＣは、コンフィグレーションメッセージでアクティブ状態の無線端末（ＵＥ）に対して、アイドル状態でのＬｏｇｇｅｄ  ＭＤＴのコンフィギュレーション（Ｉｄｌｅ  ＭＤＴ  Ｃｏｎｆｉｇｕｒａｔｉｏｎ）とカバレッジホール（ＣＨ）検出時に、ブラックリストセルが周辺に存在した場合、該ブラックリストセルなどの帰属不可能なセルに関連する周辺情報のロギングを要求する（Ｓ４１：Ｉｄｌｅ  ＭＤＴ  ｃｏｎｆｉｇｕｒａｔｉｏｎ＋ＣＨ  ｌｏｇｇｉｎｇ  ｃｏｎｆｉｇｕｒａｔｉｏｎ）。
【０１７４】
無線端末（ＵＥ）がアイドル状態になると、所定タイミングで測定とロギングを周期的に行う（Ｓ４２−１、Ｓ４２−２、・・・）。
【０１７５】
ある時点で、無線端末（ＵＥ）は、帰属セルの受信品質の劣化を検出したものとする（Ｓ４３：Ｓｅｒｖｉｎｇ  ｃｅｌｌ  ｄｅｇｒａｄａｔｉｏｎ  ｄｅｔｅｃｔｉｏｎ）。
【０１７６】
無線端末（ＵＥ）は、所定期間に周辺に帰属可能なセル（適切なセル）を検出できない場合、無線端末（ＵＥ）はカバレッジホール（ＣＨ）を検出する（Ｓ４４：Ｃｏｖｅｒａｇｅ  ｈｏｌｅ  ｄｅｔｅｃｔｉｏｎ）。このとき、“ＯＯＳ”をロギングしてもよい。
【０１７７】
無線端末（ＵＥ）は、周辺にブラックリストセル（ｂｌａｃｋ  ｌｉｓｔｅｄ  ｃｅｌｌ）があるかを検出する（Ｓ４５：Ｄｅｔｅｃｔ  ｂｌａｃｋ  ｌｉｓｔｅｄ  ｃｅｌｌ）。
【０１７８】
無線端末（ＵＥ）は、ブラックリストセルの情報を取得し、周辺情報としてロギングを行う（Ｓ４６）。
【０１７９】
無線端末（ＵＥ）は、カバレッジホールから移動し、セル検出部１４は適切なセル（マクロセル）を検出する（Ｓ４７：Ｆｉｎｄ  ｓｕｉｔａｂｌｅ  ｃｅｌｌ）。
【０１８０】
無線端末（ＵＥ）は、サービングセルであるマクロセルの測定及びロギングを行う（Ｓ４８）。
【０１８１】
無線端末（ＵＥ）は、マクロセルのｅＮＢ／ＲＮＣと無線リンクを確立してアクティブ状態となり、保有ログをｅＮＢ／ＲＮＣに報告する（Ｓ４９：Ｌｏｇ  ｒｅｔｒｉｅｖａｌ）。
【０１８２】
本実施形態によれば、ＯＡＭは、無線端末（ＵＥ）がカバレッジホール検出時、ブラックリストセルの有無、及びその情報を認識することができる。これにより、該カバレッジホールが、ブラックリストセルの干渉によるもの、或いは、ブラックリストの設定不備によるもの（該セルはブラックリストから外すべき）であるか、マクロセルのカバレッジ問題かを判断することができる。
【０１８３】
＜実施形態４＞
次に本発明の第４の実施形態を説明する。３ＧＰＰでは、所定のエリアに滞在する場合にのみ、Ｌｏｇｇｅｄ  ＭＤＴの測定、ロギングを、無線端末（ＵＥ）に行わせることが検討されている。ここで、所定のエリアとは、例えば、
・無線端末（ＵＥ）が位置登録している公衆陸上移動体ネットワーク（Ｒｅｇｉｓｔｅｒｅｄ  Ｐｕｂｌｉｃ  Ｌａｎｄ  Ｍｏｂｉｌｅ  Ｎｅｔｗｏｒｋ：ＲＰＬＭＮ）、
・セル（ｃｅｌｌ）（３２のグローバルセルＩＤのリスト（ＵＥはこれらのセルに滞在したときにのみ測定をログする））、
・ＴＡ、又は、ＬＡ、又はＲＡ（ＵＥはこれらＴＡ／ＬＡ／ＲＡに属するセルに滞在したときにのみ測定、ログする）
等がある（非特許文献４）。ここで、
ＴＡ：Ｔｒａｃｋｉｎｇ  Ａｒｅａは、ＬＴＥでアイドルモードの無線端末（ＵＥ）の位置を管理する単位となるエリア、
ＬＡ：Ｌｏｃａｔｉｏｎ  Ａｒｅａは、ＵＭＴＳで無線端末（回線交換（ＣＳ：Ｃｉｒｃｕｉｔ  Ｓｗｉｔｃｈｅｄ）ドメイン）が位置登録する場合の単位となるエリア（ページングエリア）、
ＲＡ：Ｒｏｕｔｉｎｇ  Ａｒｅａは、ＵＭＴＳで無線端末（パケット交換（ＰＳ：Ｐａｃｋｅｔ  Ｓｗｉｔｃｈｅｄ）ドメイン）が位置登録する場合の単位となるエリア。
【０１８４】
カバレッジホール検出時、無線端末（ＵＥ）は、自局がどこに（どのエリアに）滞在するのかが明確に分からない状態である。このため、Ｌｏｇｇｅｄ  ＭＤＴの測定、ログが所定エリアに制限されている場合において、無線端末（ＵＥ）でカバレッジホール検出時に、自局の滞在箇所が、不明であることから、該箇所が果たして指定された所定のエリアであるか判別できない。
【０１８５】
例えば、無線端末（ＵＥ）は、カバレッジホール検出時に、測定と測定結果のロギング、あるいは、“ＯＯＳ（Ｏｕｔ  Ｏｆ  Ｓｅｒｖｉｃｅ）”とロギングすることを指示されていた場合、実際に測定と測定結果のロギング、及び／又は、“ＯＯＳ”とロギングすることがない。又は、無線端末（ＵＥ）において、どのような条件なら測定と測定結果のロギング、及び／又は、“ＯＯＳ”とロギングすればよいのかが不明確である。  
【０１８６】
この問題は、いつ（どの時点で）カバレッジホールと認識するかにも依存する。例えば、無線端末（ＵＥ）が所定期間の間に予め定められたサービス、例えば通常サービスを受ける（行う）為の帰属を許可された帰属可能なセルに選択できなかった（報知されるシステム情報を取得できなかった、あるいは、受信品質が所定値未満であった）場合に、カバレッジホールと認識するものとした場合には、該所定期間において、既に自局の滞在するエリアが不明確であることを意味しており、該所定期間における無線端末（ＵＥ）の動作についても、本発明の適用対象となる。ここで、上述の所定期間としては、例えば、
・“Ｃａｍｐｅｄ  ｎｏｒｍａｌｌｙ”  ｓｔａｔｅに滞在している間、
・“Ａｎｙ  ｃｅｌｌ  ｓｅｌｅｃｔｉｏｎ”  ｓｔａｔｅに滞在している間、
・“Ｃａｍｐｅｄ  ｏｎ  ａｎｙ  ｃｅｌｌ”  ｓｔａｔｅに滞在している間、
等がある。
【０１８７】
そこで、本実施形態において、カバレッジホールを検出した場合に、測定と測定結果のロギング、及び／又は、“ＯＯＳ”をログする条件は以下のいずれかとする。
【０１８８】
（Ｉ）カバレッジホールになる直前のエリア（ＰＬＭＮ、  Ｃｅｌｌ／ＴＡ／ＬＡ／ＲＡ）がＬｏｇｇｅｄ  ＭＤＴ対象エリアであった場合、無線端末（ＵＥ）の滞在するエリアの更新がない限り、Ｌｏｇｇｅｄ  ＭＤＴは有効であるとみなし、測定と測定結果のロギング、及び／又は、“ＯＯＳ”をログする。本実施形態では、カバレッジホールを検出してから、所定時間経過するまでの間、測定と測定結果のロギング、及び／又は、“ＯＯＳ”をログする。あるいは所定回数の測定と測定結果のロギング、及び／又は、“ＯＯＳ”のロギングを実行する。
【０１８９】
（ＩＩ）カバレッジホールを検出した場合に、利用可能（ａｖａｉｌａｂｌｅ）なＧＮＳＳ情報がある場合、測定と測定結果のロギング、及び／又は、“ＯＯＳ”をログする。
【０１９０】
（ＩＩＩ）カバレッジホールを検出した場合、測定したＲＳＲＰ／ＲＳＣＰが最高のセルが、Ｌｏｇｇｅｄ  ＭＤＴの対象エリア（ＥＣＧＩ／ＣＧＩ）に属する場合、測定と測定結果のロギング、及び／又は、“ＯＯＳ”をログする。このとき、対象エリアか否かは、過去にロギングをしたＰＣＩ／ＰＳＣか否か、或いは、ＥＣＧＩ／ＣＧＩとＰＣＩ／ＰＳＣの関係を保持しておき、該関係を基にＲＳＲＰ／ＲＳＣＰが最高のセルのＰＣＩ／ＰＳＣが対象エリアに含まれるか否かで、Ｌｏｇｇｅｄ  ＭＤＴの対象エリアであるか否かを判断する。なお、ＲＳＲＰ／ＲＳＣＰの代わりに、ＲＳＲＱ／Ｅｃ／Ｎｏなどでも良い。
【０１９１】
図１５は、本発明の実施形態４の無線端末（ＵＥ）の動作を示す流れ図（フローチャート）である。図１５は、上記（Ｉ）の場合に対応する。
【０１９２】
無線端末（ＵＥ）がアクティブ状態のとき、測定指示取得部１１がｅＮＢ／ＲＮＣからＬｏｇｇｅｄ  ＭＤＴのコンフィギュレーションメッセージを受け、Ｌｏｇｇｅｄ  ＭＤＴの設定を行う（ステップＳ１０１）。
【０１９３】
無線端末（ＵＥ）は、アイドル状態となると（ステップＳ１０２のＹ）、測定実施部１２により、Ｌｏｇｇｅｄ  ＭＤＴを開始する（ステップＳ１０３）。
【０１９４】
帰属（サービング）セルの受信品質が劣化している場合（ステップＳ１０４のＹ分岐）、無線端末（ＵＥ）のセル検出部１４で隣接セルサーチを行う（ステップＳ１０５）。
【０１９５】
隣接セルサーチの結果、適切なセルが存在する場合（ステップＳ１０６のＹ）、無線端末（ＵＥ）は、該セルへセル再選択を行う（ステップＳ１０７）。
【０１９６】
そして、アイドル状態の無線端末（ＵＥ）は、測定時刻（タイミング）となると（ステップＳ１０８のＹ）、無線端末（ＵＥ）の測定部１２３でサービングセルの測定を行い、測定結果を測定結果保持部１２４にログする（Ｓ１０９）。このとき、隣接セルについても必要に応じて測定、ロギングを行っても良い。
【０１９７】
無線端末（ＵＥ）が、ｅＮＢ／ＲＮＣと無線リンクを確立し、アイドル状態からアクティブ状態となると（ステップＳ１１０のＹ）、処理は終了し、アイドル状態の場合（ステップＳ１１０のＮ）、ステップＳ１０４に戻る。
【０１９８】
隣接セルサーチ（ステップＳ１０５）の結果、適切なセルが存在しない場合（ステップＳ１０６のＮ）、無線端末（ＵＥ）は、カバレッジホールに滞在していることを検出し（ステップＳ１１１）、測定時刻（タイミング）でなければ（ステップＳ１１２のＮ）、ステップＳ１０５に移り、測定時刻（タイミング）であれば（ステップＳ１１２のＹ）、無線端末（ＵＥ）が滞在するエリアの更新処理を行ったか否かをチェックし（Ｓ１２０：Ｎｏ  Ｃｈａｎｇｅ  ｆｏｒ  ｃａｍｐｉｎｇ  ａｒｅａ）、更新処理を行っていない場合（ステップＳ１２０のＹ分岐）、“ＯＯＳ”（圏外）をロギングする（ステップＳ１２１）。
【０１９９】
すなわち、本実施形態では、カバレッジホールになる直前のエリアがＬｏｇｇｅｄ  ＭＤＴの対象として指定されたエリアであり、エリアの更新がない限り、カバレッジホールを検出したエリアにおいて、Ｌｏｇｇｅｄ  ＭＤＴがそのまま有効であるものとみなし、“ＯＯＳ”（圏外）をロギングする。
【０２００】
＜第４の実施形態の変形例１＞
図１６は、本発明の第４の実施形態の無線端末（ＵＥ）の動作の別の例の流れ図（フローチャート）である。図１６が図１５と相違する点は、図１５では、カバレッジホール検出後に、滞在エリアの更新処理を行ったか否かで（図１５のステップＳ１２０）、“ＯＯＳ”をロギング（図１５のステップＳ１２１）するか否かを決定していたのに対し、図１６では、サービングセルの受信品質が滞在（Ｃａｍｐ）するのに適したセルとしての所定条件を満たさなくなったことを検出してから（図１６のステップＳ１０４のＹ）、カバレッジホールと判定するまで（図１６のステップＳ１２３）、滞在エリアの更新処理が無い場合には（図１６のステップＳ１２０のＹ）、(旧)サービングセルや隣接セルの測定及び測定結果のロギングを継続する点（図１６のステップＳ１２２）である。カバレッジホールと判定した後は、再び適したセルが検出されるまで測定、ロギングは中断する。
【０２０１】
図１７は、本発明の実施形態４におけるログの例を説明する図である。図１７はＬＴＥの例であり、Ｌｏｇｇｅｄ  ＭＤＴはトラッキングエリア  ＴＡ１でのみ有効とし、トラッキングエリア  ＴＡ２では無効である。測定、ロギングは周期的に実行する。図１７（Ｂ）は、図１７（Ｃ）の２つのマクロセル及びカバレッジホールを拡大して示した図である。
【０２０２】
図１７（Ｂ）において、Ｌｏｇｇｅｄ  ＭＤＴの周期的な実行の指示を受けた無線端末（ＵＥ）は、アイドル状態となり、マクロセル（ＥＣＧＩ＃１１／ＰＣＩ＃１）に帰属（滞在）している。時刻ｔ＝ｔ１で帰属（サービング）セル、隣接セル（ＥＣＧＩ＃２２／ＰＣＩ＃２）の測定とロギングを行う。測定は、サービングセル（ＥＣＧＩ＃１１）では、ＲＳＲＰ／ＲＳＲＱ、隣接セル（ＰＣＩ＃２）ではＲＳＲＰを対象とする。ただし、これらに限定はされず、隣接セルでもＲＳＲＱを測定対象としてもよい。
【０２０３】
時刻ｔ＝ｔ２で、サービングセルの品質が劣化し、無線端末（ＵＥ）はカバレッジホールを検出する。このとき、無線端末（ＵＥ）が滞在するトラッキングエリアはＴＡ１であるため、“ＯＯＳ”をロギングする。無線端末（ＵＥ）がＴＡ１に滞在しているか否かは、例えばカバレッジホール検出前からトラッキングエリア更新（Ｔｒａｃｋｉｎｇ  Ａｒｅａ  Ｕｐｄａｔｅ：ＴＡＵ）を行ったか否かで判定する方法がある。
【０２０４】
時刻ｔ＝ｔ３で、無線端末（ＵＥ）は、帰属セル（ＥＣＧＩ＃２２）、周辺セル（ＰＣＩ＃１）の測定とロギングを行う。
【０２０５】
時刻ｔ＝ｔ４で、セル／トラッキングエリア更新（ＴＡＵ）が行われる。
【０２０６】
図１７（Ｃ）において、無線端末（ＵＥ）はトラッキングエリア  ＴＡ２に滞在中、ｔ＝ｔ５でカバレッジホールを検出するが、トラッキングエリアはＴＡ１以外であるため、“ＯＯＳ”はロギングしない。
【０２０７】
なお、図１６において、“ＯＯＳ”とロギングする代わりに、サービングセルの受信品質が滞在（Ｃａｍｐ）するのに適したセルとしての所定条件を満たさなくなったことを検出してから（図１６のＳ１０４のＹ）、カバレッジホールと判定するまで（図１６のＳ１２３）、滞在エリアの更新処理が無い場合には、(旧)サービングセルや隣接セルの測定及び測定結果のロギングを継続してもよい。
【０２０８】
＜実施形態４の変形例１＞
図１８は、本発明の第４の実施形態の変形例１における無線端末（ＵＥ）の動作を示す流れ図（フローチャート）である。図１８において、図１５と同一ステップには同一ステップ番号が付されている。この変形例１は、上記（ＩＩ）の場合に対応する。無線端末（ＵＥ）において、カバレッジホールを検出した場合に、利用可能（ａｖａｉｌａｂｌｅ）なＧＮＳＳ情報がある場合、“ＯＯＳ”をログする。
【０２０９】
この変形例１では、無線端末（ＵＥ）でカバレッジホール検出時（ステップＳ１１１）、測定時間になると（ステップＳ１１２のＹ）、無線端末（ＵＥ）の制御部１５は、ＧＮＳＳ情報が取得可能であるかチェックし（ステップＳ１２４）、ＧＮＳＳ情報が入手可能な場合（ステップＳ１２４のＹ）、“ＯＯＳ”とＧＮＳＳ情報をロギングする（ステップＳ１２５）。なお、無線端末（ＵＥ）は、ＧＮＳＳ情報を取得する受信機を備えているものとする。
【０２１０】
＜実施形態４の変形例２＞
図１９は、本発明の実施形態４の変形例２における無線端末（ＵＥ）の動作を示す流れ図（フローチャート）である。第４の実施形態の変形例２は、上記（ＩＩＩ）の場合に対応する。無線端末（ＵＥ）において、カバレッジホールを検出した場合、測定したＲＳＲＰ／ＲＳＣＰが最も高いセルが、Ｌｏｇｇｅｄ  ＭＤＴの対象エリア（ＥＣＧＩ／ＣＧＩ）に属する場合、ＯＯＳ”をログする。図１９において、図１５と同一ステップには同一ステップ番号が付されている。
【０２１１】
この変形例２では、無線端末（ＵＥ）でカバレッジホール検出時（ステップＳ１１１）、測定時間になると（ステップＳ１１２のＹ）、測定実施部１２では、測定を行ったセルに関して測定結果ＲＳＲＰ／ＲＳＣＰを比較し（ステップＳ１２６）、該ＲＳＲＰ／ＲＳＣＰが最も高いベストなセル（ｂｅｓｔ  ｃｅｌｌ）がＬｏｇｇｅｄ  ＭＤＴの有効なエリア（ｖａｌｉｄｉｔｙ  ａｒｅａ）に所属するか否かチェックし（ステップＳ１２７：Ｂｅｓｔ  ｃｅｌｌ  ｂｅｌｏｎｇ  ｔｏ  ｖａｌｉｄｉｔｙ  ａｒｅａ）、ベストなセルが有効なエリアに所属する場合（ステップＳ１２７のＹ）、“ＯＯＳ”と、ＧＮＳＳ情報をロギングする（ステップＳ１２５）。なお、ＲＳＲＰ／ＲＳＣＰの代わりに、ＲＳＲＱ／Ｅｃ／Ｎｏでも良い。
【０２１２】
前記本実施形態において、カバレッジホールに滞在した無線端末（ＵＥ）は、周辺セルをサーチし、予め定められたサービス、例えば通常サービスを受ける（行う）為の帰属を許可されていない帰属不可能なセルが１つも存在しない場合、“ＯＯＳ”をログし、帰属不可能なセルが１つ又は複数存在する場合、“ＯＯＳ”と、１つ又は複数の帰属不可能なセルの情報をログする（帰属不可能なセルが存在する場合、ログするセル情報は、該セルのＲＳＲＰ／ＲＳＣＰ、  ＰＣＩ／ＰＳＣ等である）。
【０２１３】
＜実施形態５＞
次に本発明の第５の実施形態を説明する。前記第４の実施形態で説明したように、カバレッジホールに直面（検出）した場合に測定又は記録に関する第２の条件は、以下の（１）〜（４）の条件、又は、それらの組み合わせである。なお、本実施の形態では、第２の条件の一例として“ＯＯＳ”とログする条件を示す。
【０２１４】
（１）カバレッジホールになる直前に、Ｌｏｇｇｅｄ  ＭＤＴが有効であった（ＭＤＴ  ｍｅａｓｕｒｅｍｅｎｔを実行していた）。
【０２１５】
（２）カバレッジホールになる直前のエリア（ＰＬＭＮ、Ｃｅｌｌ／ＴＡ／ＬＡ／ＲＡ）がＬｏｇｇｅｄ  ＭＤＴの対象エリアである。
【０２１６】
（３）利用可能なＧＮＳＳ情報を保有している場合である。
【０２１７】
（４）ＲＳＲＰ／ＲＳＣＰ（或いは、ＲＳＲＱ／Ｅｃ／Ｎｏ）の最も大きいセルがＬｏｇｇｅｄ  ＭＤＴの対象エリア（ＥＣＧＩ／ＣＧＩ）に属する。
【０２１８】
なお、これらの条件は、カバレッジホールを検出した場合に、周辺の予め定められたサービス、例えば通常サービスを受ける（行う）為の帰属を許可されていない帰属不可能なセルに関連する情報（周辺情報）を記録する本発明の実施形態についても適用可能である。さらに、カバレッジホールを検出する前段階における動作に対しても適用可能である。
【０２１９】
前記第４の実施形態では、上記条件（２）に関して、カバレッジホール検出時、直前のエリア（Ｌｏｇｇｅｄ  ＭＤＴの対象エリアとして指定されている）から、エリアの更新がない限り、Ｌｏｇｇｅｄ  ＭＤＴが有効とみなしている。
【０２２０】
本実施形態では、カバレッジホール検出してから、所定時間経過するまで、あるいは、所定の測定及びログの回数に達するまで、周辺セル（非会員ＣＳＧ）の受信品質の測定とログを行う。
【０２２１】
上記条件（３）は、利用可能なＧＮＳＳ情報を保有している場合である。位置情報が無い単なる”ＯＯＳ”では情報として不足していることも考えられる。
【０２２２】
上記条件（４）に関して、システム情報（Ｍａｓｔｅｒ  Ｉｎｆｏｒｍａｔｉｏｎ  Ｂｌｏｃｋ：ＭＩＢ／Ｓｙｓｔｅｍ  Ｉｎｆｏｒｍａｔｉｏｎ  Ｂｌｏｃｋ：ＳＩＢ）を取得できなくても、ＲＳＲＰ／ＲＳＣＰは取得可能である。過去にロギングしたＰＣＩ／ＰＳＣかどうかで判断する。
【０２２３】
本実施形態では、最大のＲＳＲＰ／ＲＳＣＰのセルのＰＣＩ／ＰＳＣもログとして保存し、報告する。
【０２２４】
図２０は、本発明の第５の実施形態のシステムのシーケンス動作を示す図である。
【０２２５】
マクロセル２のｅＮＢ／ＲＮＣは、コンフィグレーションメッセージにて、アクティブ状態の無線端末（ＵＥ）に対して、カバレッジホール（ＣＨ）検出時に、周辺にｎｏｎ−ｍｅｍｂｅｒ  ＣＳＧセルが周辺に存在した場合、ｎｏｎ−ｍｅｍｂｅｒ  ＣＳＧセルの測定とロギングすることを指示する（Ｓ５１：：Ｉｄｌｅ  ＭＤＴ  ｃｏｎｆｉｇｕｒａｔｉｏｎ＋ＣＨ  ｍｅａｓ＆ｌｏｇｇｉｎｇ  ｃｏｎｆｉｇｕｒａｔｉｏｎ）。無線端末（ＵＥ）の測定指示取得部１１は、このメッセージを受け、上記指示を取得し、測定実施部１２を制御する。
【０２２６】
無線端末（ＵＥ）がアイドル状態になると、測定実施部１２で測定とロギングを周期的に行う（Ｓ５２−１）。
【０２２７】
無線端末（ＵＥ）は、セルの再選択／更新を行う（Ｓ５３：Ｃｅｌｌ  ｒｅｓｅｌｅｃｔｉｏｎ／ｕｐｄａｔｅ）。図２０では、無線端末（ＵＥ）は、マクロセル２からマクロセル１を選択する。
【０２２８】
無線端末（ＵＥ）は、測定実施部１２で測定とロギングを周期的に行う（Ｓ５２−２）。
【０２２９】
無線端末（ＵＥ）は、ｎｏｎ−ｍｅｍｂｅｒ  ＣＳＧセルが周辺に存在することを検出する（Ｓ５４：ＣＳＧ  ｃｅｌｌ（ｎｏｎ−ｍｅｍｂｅｒ）  ｄｅｔｅｃｔｉｏｎ）。
【０２３０】
無線端末（ＵＥ）は、カバレッジホールを検出すると、測定実施部１２で、“ＯＯＳ”をロギングする（Ｓ５５：ＣＨ  ｄｅｔｅｃｔｉｏｎ＋“ＯＯＳ”  ｌｏｇｇｉｎｇ）。
【０２３１】
無線端末（ＵＥ）は、カバレッジホールを検出した後、測定実施部１２で、周辺セル、ｎｏｎ−ｍｅｍｂｅｒ  ＣＳＧセルの受信品質の測定を行い、ロギングを行う（Ｓ５６）。
【０２３２】
無線端末（ＵＥ）は、セル検出部１４で適切なセル（マクロセル１）を検出する（Ｓ５７：Ｆｉｎｄ  ｓｕｉｔａｂｌｅ  ｃｅｌｌ）。
【０２３３】
無線端末（ＵＥ）は、測定実施部１２でマクロセル１の測定及びロギングを行う（Ｓ５８）。
【０２３４】
無線端末（ＵＥ）の制御部１５は、マクロセル１のｅＮＢ／ＲＮＣと無線リンクを確立してアクティブ状態となり、無線端末（ＵＥ）の測定結果報告部１３は、測定結果の保有ログをマクロセル１のｅＮＢ／ＲＮＣに報告する（Ｓ５９：Ｌｏｇ  ｒｅｔｒｉｅｖａｌ）。
【０２３５】
本実施形態によれば、無線端末（ＵＥ）がカバレッジホール検出時、所定の測定及びログの回数に達するまで、周辺セル（ｎｏｎ−ｍｅｍｂｅｒ  ＣＳＧセル）の受信品質の測定とログを行うことで、カバレッジホール周辺の詳細情報を取得可能としている。
【０２３６】
図２１は、本発明の第５の実施形態におけるＬｏｇｇｅｄ  ＭＤＴのログを説明する図である。図２１（Ａ）は、図２１（Ｂ）の各タイミングにおけるＬｏｇｇｅｄ  ＭＤＴのログの一例を示している。無線端末は測定・ログを周期的に行う。ＥＣＧＩ＃２００／ＰＣＩ＃２０のセルはｎｏｎ−ｍｅｍｂｅｒ  ＣＳＧセルで帰属不可である。
【０２３７】
図２１（Ｂ）において、Ｌｏｇｇｅｄ  ＭＤＴの周期的な実行の指示を受けた無線端末（ＵＥ）は、アイドル状態となり、マクロセル２（ＥＣＧＩ＃２２／ＰＣＩ＃２）に滞在(帰属)している。時刻ｔ＝ｔ０で帰属（サービング）セル、隣接セル（ＥＣＧＩ＃１１／ＰＣＩ＃１）の測定とロギングを行う。測定結果は、サービングセル（ＥＣＧＩ＃２２）では、ＲＳＲＰ／ＲＳＲＱ、隣接セル（ＰＣＩ＃１）ではＲＳＲＰである。
【０２３８】
無線端末（ＵＥ）はマクロセル２からマクロセル１に移動し、時刻ｔ＝ｔ１でサービングセル（ＥＣＧＩ＃１１／ＰＣＩ＃１）、隣接セル（ＥＣＧＩ＃２２／ＰＣＩ＃２）の測定とロギングを行う。測定結果は、サービングセル（ＥＣＧＩ＃１１）では、ＲＳＲＰ／ＲＳＲＱ、隣接セル（ＰＣＩ＃２）ではＲＳＲＰである。なお、隣接セルで、ＲＳＲＱ／Ｅｃ／Ｎｏを測定してもよい。
【０２３９】
時刻ｔ＝ｔ２で、サービングセルの品質が劣化し、無線端末（ＵＥ）はカバレッジホールを検出する。このとき、無線端末（ＵＥ）はｎｏｎ−ｍｅｍｂｅｒ  ＣＳＧセルの受信品質を測定し、サービングセル（ＥＣＧＩ＃１１）では“ＯＯＳ”、ｎｏｎ−ｍｅｍｂｅｒ  ＣＳＧセルではＲＳＲＰとそのＩＤ（ＰＣＩ＃２０）をロギングする。
【０２４０】
時刻ｔ＝ｔ３で、無線端末（ＵＥ）は、周辺に帰属不可能なセルの存在を検出し、サービングセル（ＥＣＧＩ＃２２）の測定結果、及び、ｎｏｎ−ｍｅｍｂｅｒ  ＣＳＧセルの測定結果ＲＳＲＰ／ＲＳＲＱ）とセルＩＤ（ＰＣＩ＃２０）又は、別の隣接セルのマクロセルの測定結果とＩＤ（ＥＣＧＩ＃２００）をロギングする。
【０２４１】
上述の実施形態においては、「第１の条件」の１つの「（ａ）第１のセルの選択が不可能な状況を検出した事」や、「（ｂ）帰属中のサービングセルの受信品質がセル選択基準を満たさなくなった事」を例として説明を行った。しかしながら、その他の第１の条件、「（ｃ）無線端末が帰属中のサービングセルの受信品質がセル選択基準を満たさなくなってから所定期間経過した事」や、「（ｄ）無線端末が第２のセルの検出を行う状態に遷移した事」についても本発明の上述の実施形態が適用可能であることは勿論である。
【０２４２】
例えば、（ｃ）を用いる場合、（ｂ）の例において、第１の条件を満たす前に、無線端末が保有するタイマーに用いてセル選択基準を満たさなくなってから所定期間経過したか否かを判定するステップを追加するようにしてもよい。
【０２４３】
また、（ｄ）を用いる、該「第２のセルの検出を行う状態に遷移した事」を、「“Ａｎｙ  ｃｅｌｌ  ｓｅｌｅｃｔｉｏｎ”  ｓｔａｔｅや“Ｃａｍｐｅｄ  ｏｎ  ａｎｙ  ｃｅｌｌ”  ｓｔａｔｅに遷移した事」として本発明を適用してもよい。
【０２４４】
さらに、上述の実施の形態においては、“カバレッジホール”に注目して説明を行ったが、その他のカバレッジ問題に対しても適用は可能である。その一例として、“パイロットポルーション（Ｐｉｌｏｔ  Ｐｏｌｌｕｔｉｏｎ）”がある。
【０２４５】
パイロットポルーションは、例えば、隣接セル間のオーバーラップが大きい為に干渉レベルが高く、サービングセルの受信電力も（比較的）高く、セル特定（スループット等）は低い、状況（エリア）において生じる現象である。
【０２４６】
パイロットポルーションに相当する「第１の条件」としては、例えば
「帰属中のサービングセルの受信品質が第１のレベル未満であり、且つ、隣接する（少なくとも１つの）セルの受信品質が第２のレベル以上である事」や、
「帰属中のサービングセルの受信品質が第３のレベル未満であり、且つ、隣接する（少なくとも１つの）セルの受信品質がサービングセルの受信品質よりも所定オフセット（正又は負の値）だけ高い事」
等が挙げられる。
【０２４７】
そして、これらの第１の条件を満たした場合、予め定められたサービスを受ける（行う）為の帰属を許可されていないセルに関連する情報（周辺情報）を記録（ロギング）する。
【０２４８】
なお、当該第１の条件を満たした時点で１度だけ該周辺情報のロギングを行っても良いし、当該第１の条件を満たし続けている間、ずっと該周辺情報（例えば周期的に）をロギングし続けても良い。後者の場合、例えば、後にカバレッジホールを検出した場合には、ロギングを中断しても良い。
【０２４９】
無線端末からの該周辺情報の報告を基に、無線ネットワーク側ではカバレッジ問題（この場合はパイロットポルーション）を認識することができ、適切な対処（最適化）を実行することができる。
【０２５０】
ここで、位置情報としてＧＮＳＳ位置情報の他に、ＬＣＳ（Ｌｏｃａｔｉｏｎ  Ｓｅｒｖｉｃｅ）  ｓｅｓｓｉｏｎにて取得する位置情報を利用しても良い。また、無線端末において無線カバレッジのカバレッジホールを検出した時の追加情報として、端末が折りたたみ時状態であった、バックライトを点滅時であった、などの端末状態を報告させたり、端末の移動速度などの端末状況を報告させたりしても良い。
【０２５１】
なお、上記の非特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素（各請求項の各要素、各実施例の各要素、各図面の各要素等を含む）の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【０２５２】
１０  無線端末
１１  測定指示取得部
１２  測定実施部
１３  測定結果報告部
１４  セル検出部
１５  制御部
２０  基地局／基地局制御局
２１  測定指示部
２２  測定結果取得部
２３  測定結果報告部
２４  無線パラメータ設定変更部
３０  ＯＡＭ/ＳＯＮサーバ
３１  測定結果取得部
３２  無線パラメータ設定指示部
１２１  測定実施判定部
１２２  カバレッジ問題検出部
１２３  測定部
１２４  測定結果保持部
【図１】
2012043796.tif 000003
【図２】
2012043796.tif 000004
【図３】
2012043796.tif 000005
【図４】
2012043796.tif 000006
【図５】
2012043796.tif 000007
【図６】
2012043796.tif 000008
【図７】
2012043796.tif 000009
【図８】
2012043796.tif 000010
【図９】
2012043796.tif 000011
【図１０】
2012043796.tif 000012
【図１１】
2012043796.tif 000013
【図１２】
2012043796.tif 000014
【図１３】
2012043796.tif 000015
【図１４】
2012043796.tif 000016
【図１５】
2012043796.tif 000017
【図１６】
2012043796.tif 000018
【図１７】
2012043796.tif 000019
【図１８】
2012043796.tif 000020
【図１９】
2012043796.tif 000021
【図２０】
2012043796.tif 000022
【図２１】
2012043796.tif 000023
【図２２】
2012043796.tif 000024
【図２３】
2012043796.tif 000025
【国際調査報告】
2012043796.tif 000026
2012043796.tif 000027
2012043796.tif 000028
2012043796.tif 000029